(57)【要約】【課題】入力装置に備えられた、他の駆動電極の幅と異なる幅を有する駆動電極上において、検出容量のノイズ耐性が低下することを防止または抑制する。【解決手段】入力装置としてのタッチパネルＴＰ１は、Ｘ軸方向に延在し、かつＸ軸方向と交差するＹ軸方向に配列された、複数の駆動電極Ｔｘ２〜Ｔｘ９と、駆動電極Ｔｘ２〜Ｔｘ９の配列の一方の外側に配置され、かつ、Ｘ軸方向に延在した、駆動電極Ｔｘ１とを有する。またタッチパネルＴＰ１は、Ｙ軸方向に延在し、かつＸ軸方向に配列された、複数の検出電極Ｒｘを有する。駆動電極Ｔｘ１の幅ＷＤ２は、駆動電極Ｔｘ２〜Ｔｘ９の幅ＷＤ１よりも小さく、検出電極Ｒｘは、駆動電極Ｔｘ１を挟んで複数の駆動電極Ｔｘ２〜Ｔｘ９と反対側に、検出電極Ｒｘの面積を拡張する拡張部ＯＨ４を含む。【選択図】図７
2014153840.tif 000002
【特許請求の範囲】
【請求項１】
平面視において、第１方向にそれぞれ延在し、かつ、前記第１方向と交差する第２方向に配列された、複数の第１電極と、
平面視において、前記複数の第１電極の配列の一方の外側に配置され、かつ、前記第１方向に延在した、第２電極と、
平面視において、前記第２方向にそれぞれ延在し、かつ、前記第１方向に配列された、複数の第３電極と、
を有し、
前記第３電極と前記第１電極との間の第１静電容量、および、前記第３電極と前記第２電極との間の第２静電容量に基づいて入力位置が検出され、
前記第２電極の前記第２方向の第１幅は、前記第１電極の前記第２方向の第２幅よりも小さく、
前記第３電極は、平面視において、前記第２電極を挟んで前記複数の第１電極と反対側に、前記第３電極の面積を拡張する第１拡張部を含む、入力装置。
【請求項２】
請求項１記載の入力装置において、
前記第１拡張部は、前記第１静電容量と前記第２静電容量とが等しくなるように、前記第３電極の面積を拡張する、入力装置。
【請求項３】
請求項１記載の入力装置において、
前記第１拡張部は、平面視において、前記第２電極に接する、入力装置。
【請求項４】
請求項１記載の入力装置において、
前記第３電極は、平面視において、前記第２方向に延在する本体部を含み、
前記第１拡張部は、平面視において、前記第２電極を挟んで前記複数の第１電極と反対側で、前記本体部から前記第１方向に張り出した張出部である、入力装置。
【請求項５】
請求項１記載の入力装置において、
平面視において、前記複数の第１電極の配列の他方の外側に配置され、かつ、前記第１方向に延在した、第４電極を有し、
前記第１静電容量、前記第２静電容量、および、前記第３電極と前記第４電極との間の第３静電容量に基づいて前記入力位置が検出され、
前記第４電極の前記第２方向の第３幅は、前記第２幅よりも小さく、
前記第３電極は、平面視において、前記第４電極を挟んで前記複数の第１電極と反対側に、前記第３電極の面積を拡張する第２拡張部を含む、入力装置。
【請求項６】
請求項１記載の入力装置を備えた表示装置において、
第１基板と、
前記第１基板と対向配置された第２基板と、
前記第１基板と前記第２基板との間に配置された複数の第５電極と、
前記第１基板と前記第２基板との間に配置された複数の第６電極と、
前記第１基板と前記第２基板との間に配置され、前記複数の第５電極と前記複数の第６電極との間に電圧が印加されることで表示画像を形成する表示画像形成部と、
を有し、
前記複数の第５電極は、前記複数の第１電極と、前記第２電極とを含み、
前記第３電極は、前記第２基板を挟んで前記第５電極と反対側に形成されている、表示装置。
【請求項７】
請求項６記載の表示装置において、
前記表示画像形成部は、液晶層である、表示装置。
【請求項８】
請求項６記載の表示装置において、
平面視において、複数の画素が配置された表示領域を有し、
前記複数の第６電極の各々は、前記複数の画素のそれぞれに対応して配置されており、
前記複数の第１電極および前記第２電極は、前記第１方向に垂直な断面において、前記表示領域の内部に配置されており、
前記第１拡張部は、前記表示領域の外部に配置されている、表示装置。
【請求項９】
請求項６記載の表示装置を備えた電子機器。
【請求項１０】
平面視において、第１方向にそれぞれ延在し、かつ、前記第１方向と交差する第２方向に配列された、複数の第１電極と、
平面視において、前記複数の第１電極の配列の一方の外側または前記複数の第１電極の配列の途中に配置され、かつ、前記第１方向に延在した、第２電極と、
平面視において、前記第２方向にそれぞれ延在し、かつ、前記第１方向に配列された、複数の第３電極と、
を有し、
前記第３電極と前記第１電極との第１交差部に形成される第１静電容量、および、前記第３電極と前記第２電極との第２交差部に形成される第２静電容量に基づいて入力位置が検出され、
前記第２電極の前記第２方向の第１幅は、前記第１電極の前記第２方向の第２幅と異なり、
前記第３電極は、前記第２交差部に、前記第３電極の面積を拡張する第１拡張部を含み、
平面視において、前記第３電極のうち前記第２電極と重なる部分の面積が、前記第３電極のうち前記第１電極と重なる部分の面積に近づくように、前記第１拡張部の面積が調整されている、入力装置。
【請求項１１】
請求項１０記載の入力装置において、
前記複数の第１電極の各々の前記第２幅同士は、互いに等しい、入力装置。
【請求項１２】
請求項１０記載の入力装置において、
平面視において、前記第３電極のうち前記第２電極と重なる部分の面積が、前記第３電極のうち前記第１電極と重なる部分の面積と等しくなるように、前記第１拡張部の面積が調整されている、入力装置。
【請求項１３】
請求項１０記載の入力装置において、
前記第３電極は、前記第１交差部に、前記第３電極の面積を拡張する第２拡張部を含み、
前記第１幅が、前記第２幅よりも小さいとき、前記第１拡張部の面積が前記第２拡張部の面積よりも大きくなるように調整されており、
前記第１幅が、前記第２幅よりも大きいとき、前記第１拡張部の面積が前記第２拡張部の面積よりも小さくなるように調整されている、入力装置。
【請求項１４】
請求項１０記載の入力装置において、
前記第２電極は、平面視において、前記複数の第１電極の配列の前記一方の外側に配置されており、
平面視において、前記複数の第１電極の配列の他方の外側に配置され、かつ、前記第１方向に延在した、第４電極を有し、
前記第１静電容量、前記第２静電容量、および、前記第３電極と前記第４電極との第３交差部に形成される第３静電容量に基づいて前記入力位置が検出され、
前記第１幅が、前記第２幅よりも小さいとき、前記第４電極の前記第２方向の第３幅は、前記第２幅よりも小さく、
前記第１幅が、前記第２幅よりも大きいとき、前記第３幅は、前記第２幅よりも大きく、
前記第３電極は、前記第３交差部に、前記第３電極の面積を拡張する第３拡張部を含み、
平面視において、前記第３電極のうち前記第４電極と重なる部分の面積が、前記第３電極のうち前記第１電極と重なる部分の面積に近づくように、前記第３拡張部の面積が調整されている、入力装置。
【請求項１５】
請求項１０記載の入力装置を備えた表示装置において、
第１基板と、
前記第１基板と対向配置された第２基板と、
前記第１基板と前記第２基板との間に配置された複数の第５電極と、
前記第１基板と前記第２基板との間に配置された複数の第６電極と、
前記第１基板と前記第２基板との間に配置され、前記複数の第５電極と前記複数の第６電極との間に電圧が印加されることで表示画像を形成する表示画像形成部と、
を有し、
前記複数の第５電極は、前記複数の第１電極と、前記第２電極とを含み、
前記第３電極は、前記第２基板を挟んで前記第５電極と反対側に形成されている、表示装置。
【請求項１６】
請求項１５記載の表示装置において、
前記表示画像形成部は、液晶層である、表示装置。
【請求項１７】
請求項１５記載の表示装置において、
平面視において、複数の画素が配置された表示領域を有し、
前記複数の第６電極の各々は、前記複数の画素のそれぞれに対応して配置されており、
前記複数の第１電極および前記第２電極は、前記第１方向に垂直な断面において、前記表示領域の内部に配置されており、
前記第１拡張部は、前記表示領域の内部に配置されている、表示装置。
【請求項１８】
請求項１５記載の表示装置を備えた電子機器。
【請求項１９】
平面視において、第１方向にそれぞれ延在し、かつ、前記第１方向と交差する第２方向に配列された、複数の第１電極と、
平面視において、前記複数の第１電極の配列の一方の外側または前記複数の第１電極の配列の途中に配置され、かつ、前記第１方向に延在した、第２電極と、
平面視において、前記第２方向にそれぞれ延在し、かつ、前記第１方向に配列された、複数の第３電極と、
を有し、
前記第３電極と前記第１電極との第１交差部に形成される第１静電容量、および、前記第３電極と前記第２電極との第２交差部に形成される第２静電容量に基づいて入力位置が検出され、
前記第２電極の前記第２方向の第１幅は、前記第１電極の前記第２方向の第２幅よりも大きく、
前記第３電極は、前記第１交差部に、前記第３電極の面積を拡張する第１拡張部を含み、
平面視において、前記第３電極のうち前記第２電極と重なる部分の面積が、前記第３電極のうち前記第１電極と重なる部分の面積に近づくように、前記第１拡張部の面積が調整されている、入力装置。
【発明の詳細な説明】
【技術分野】
【０００１】
本発明は入力装置、表示装置および電子機器に関し、特に、静電容量方式の入力装置、ならびに、そのような入力装置を備えた表示装置および電子機器に関する。
【背景技術】
【０００２】
近年、表示装置の表示面側に、タッチパネルあるいはタッチセンサと呼ばれる入力装置を取り付け、タッチパネルに指やタッチペンなどの入力具などを接触させて入力動作を行ったときに、入力位置を検出して出力する技術がある。このようなタッチパネルを有する表示装置は、キーボード、マウス、またはキーパッドなどの入力装置を必要としないため、コンピュータのほか、携帯電話などの携帯情報端末などで、広く使用されている。
【０００３】
タッチパネルに指などが接触した接触位置を検出する検出方式の一つとして、静電容量方式がある。静電容量方式を用いたタッチパネルでは、タッチパネルの面内に、誘電層を挟んで対向配置された一対の電極、すなわち駆動電極および検出電極からなる複数の容量素子が設けられている。そして、指やタッチペンなどの入力具を容量素子に接触させて入力動作を行ったときに、容量素子に容量が追加され、検出容量が変化することを利用して、入力位置を検出する。
【０００４】
特開２０１２−７３７８３号公報（特許文献１）には、液晶表示素子により構成される液晶表示デバイスと静電容量式のタッチ検出デバイスとを一体化した、いわゆるインセルタイプの表示装置が記載されている。また、上記特許文献１には、タッチ検出デバイスの駆動電極としても用いられる表示用の共通電極が、一方向に延在するように並設され、タッチ検出デバイスの検出電極が、共通電極と交差する方向に延在するように並設されることが記載されている。
【０００５】
特開２０１２−４３２９８号公報（特許文献２）には、入力装置において、第１の方向に延出する複数の下部透明電極が、第１の方向と直交する第２の方向に配列され、第２の方向に延出する複数の上部透明電極が第１の方向に配列される技術が記載されている。
【０００６】
特開２０１２−１４３２９号公報（特許文献３）には、入力装置において、センシングに用いる電極が１つであるセルフキャパシタンス方式により、入力位置を検出する技術が記載されている。また、上記特許文献３には、センシングに用いる電極が、平面視において、上辺、下辺、および、２つの斜辺からなる等脚台形であることが記載されている。
【先行技術文献】
【特許文献】
【０００７】
【特許文献１】特開２０１２−７３７８３号公報
【特許文献２】特開２０１２−４３２９８号公報
【特許文献３】特開２０１２−１４３２９号公報
【発明の概要】
【発明が解決しようとする課題】
【０００８】
上記特許文献１に記載されたインセルタイプの表示装置に備えられた入力装置では、駆動電極は、入力装置の駆動電極としての機能と、表示装置の共通電極としての機能とを有する。また、表示装置では、絶縁膜を挟んで互いに対向配置された共通電極と画素電極との間に電圧を印加して画像を表示するが、その際に印加される電圧を画素ごとに制御する必要があるので、平面視において、隣り合う２つの共通電極が１つの画素電極と重なることは望ましくない。したがって、駆動電極の幅は、画素電極の配列周期または幅の整数倍であり、その整数は、駆動電極１本当たりの画素数である。
【０００９】
ところが、駆動電極の配列方向における画素電極の数すなわち画素数は、表示装置としての要求仕様から決定されるものであり、駆動電極の配列方向の画素数が、駆動電極１本当たりの画素数で割り切れないことがある。このとき、割り切れずに生じた端数を、駆動電極の配列の例えば一端の駆動電極に割り当てることになるため、ある駆動電極の幅が、他の駆動電極の幅と異なることがある。
【００１０】
このような場合、検出電極のうちその異なる幅を有する駆動電極と重なる部分の面積が、検出電極のうち他の駆動電極と重なる部分の面積と異なる。したがって、その異なる幅を有する駆動電極と検出電極との間の静電容量を、他の駆動電極と検出電極との間の静電容量と等しくすることができない。そのため、その異なる幅を有する駆動電極上において検出される検出容量の、ＡＤＣ（Analog-to-digital converter）レンジの上限値または下限値に対する差、すなわち裕度が小さくなり、検出容量のノイズ耐性が低下するおそれがある。
【００１１】
さらに、単体として用いられる入力装置、および、表示装置と入力装置とが別体として設けられているオンセルタイプの表示装置に備えられた入力装置でも、配置の制約などにより、ある駆動電極の幅が、他の駆動電極の幅と異なる場合がある。このような場合にも、その異なる幅を有する駆動電極と検出電極との間の静電容量を、他の駆動電極と検出電極との間の静電容量と等しくすることができない。そのため、その異なる幅を有する駆動電極上において検出される検出容量の、ＡＤＣレンジの上限値または下限値に対する裕度が小さくなり、検出容量のノイズ耐性が低下するおそれがある。
【００１２】
本発明は、上述のような従来技術の問題点を解決すべくなされたものであって、他の駆動電極の幅と異なる幅を有する駆動電極上において、検出容量のノイズ耐性が低下することを抑制することができる入力装置およびその入力装置を備えた表示装置を提供することを目的とする。
【課題を解決するための手段】
【００１３】
本願において開示される発明のうち、代表的なものの概要を簡単に説明すれば、次のとおりである。
【００１４】
代表的な実施の形態による入力装置は、平面視において、第１方向にそれぞれ延在し、かつ、第１方向と交差する第２方向に配列された、複数の第１電極と、平面視において、複数の第１電極の配列の一方の外側に配置され、かつ、第１方向に延在した、第２電極とを有する。またこの入力装置は、平面視において、第２方向にそれぞれ延在し、かつ、第１方向に配列された、複数の第３電極を有する。第３電極と第１電極との間の第１静電容量、および、第３電極と第２電極との間の第２静電容量に基づいて入力位置が検出される。第２電極の第２方向の第１幅は、第１電極の第２方向の第２幅よりも小さく、第３電極は、平面視において、第２電極を挟んで複数の第１電極と反対側に、第３電極の面積を拡張する第１拡張部を含む。
【００１５】
また、代表的な実施の形態による入力装置は、平面視において、第１方向にそれぞれ延在し、かつ、第１方向と交差する第２方向に配列された、複数の第１電極と、平面視において、複数の第１電極の配列の一方の外側または複数の第１電極の配列の途中に配置され、かつ、第１方向に延在した、第２電極とを有する。またこの入力装置は、平面視において、第２方向にそれぞれ延在し、かつ、第１方向に配列された、複数の第３電極を有する。第３電極と第１電極との第１交差部に形成される第１静電容量、および、第３電極と第２電極との第２交差部に形成される第２静電容量に基づいて入力位置が検出される。第２電極の第２方向の第１幅は、第１電極の第２方向の第２幅と異なる。第３電極は、第２交差部に、第３電極の面積を拡張する第１拡張部を含み、平面視において、第３電極のうち第２電極と重なる部分の面積が、第３電極のうち第１電極と重なる部分の面積に近づくように、第１拡張部の面積が調整されている。
【００１６】
さらに、代表的な実施の形態による入力装置は、平面視において、第１方向にそれぞれ延在し、かつ、第１方向と交差する第２方向に配列された、複数の第１電極と、平面視において、複数の第１電極の配列の一方の外側または複数の第１電極の配列の途中に配置され、かつ、第１方向に延在した、第２電極とを有する。またこの入力装置は、平面視において、第２方向にそれぞれ延在し、かつ、第１方向に配列された、複数の第３電極を有する。第３電極と第１電極との第１交差部に形成される第１静電容量、および、第３電極と第２電極との第２交差部に形成される第２静電容量に基づいて入力位置が検出される。第２電極の第２方向の第１幅は、第１電極の第２方向の第２幅よりも大きい。第３電極は、第１交差部に、第３電極の面積を拡張する第１拡張部を含み、平面視において、第３電極のうち第２電極と重なる部分の面積が、第３電極のうち第１電極と重なる部分の面積に近づくように、第１拡張部の面積が調整されている。
【発明の効果】
【００１７】
本願において開示される発明のうち、代表的なものによって得られる効果を簡単に説明すれば以下のとおりである。
【００１８】
代表的な実施の形態によれば、入力装置およびその入力装置を備えた表示装置において、他の駆動電極の幅と異なる幅を有する駆動電極上で、検出容量のノイズ耐性が低下することを防止または抑制することができる。
【図面の簡単な説明】
【００１９】
【図１】静電容量型のタッチパネルの概要構成を示す説明図である。
【図２】図１に示すタッチパネルに印加される駆動波形と、タッチパネルから出力される信号波形の関係の例を示す説明図である。
【図３】図１に示す駆動電極および検出電極の配列の一例を模式的に示す説明図である。
【図４】実施の形態１の表示装置の一例の構成を示す平面図である。
【図５】実施の形態１の表示装置の一例の構成を示す断面図である。
【図６】実施の形態１の表示装置の一例の構成を示す断面図である。
【図７】実施の形態１の表示装置に備えられたタッチパネルにおける駆動電極および検出電極の配置を模式的に示す平面図である。
【図８】実施の形態１の表示装置に備えられたタッチパネルにおける駆動電極および検出電極の配置の第１変形例を模式的に示す平面図である。
【図９】実施の形態１の表示装置に備えられたタッチパネルにおける駆動電極および検出電極の配置の第２変形例を模式的に示す平面図である。
【図１０】実施の形態１の表示装置に備えられたタッチパネルにおける駆動電極および検出電極の配置の第３変形例を模式的に示す平面図である。
【図１１】実施の形態１の表示装置に備えられたタッチパネルにおける駆動電極および検出電極の配置の第４変形例を模式的に示す平面図である。
【図１２】実施の形態１の表示装置に備えられたタッチパネルにおける駆動電極および検出電極の配置の第５変形例を模式的に示す平面図である。
【図１３】比較例１の表示装置に備えられたタッチパネルにおける駆動電極および検出電極の配置を模式的に示す平面図である。
【図１４】比較例１において、複数の駆動電極のそれぞれに駆動電圧を印加したときに検出される検出容量を示すグラフである。
【図１５】実施例１〜実施例４において、複数の駆動電極のそれぞれに駆動電圧を印加したときに検出される検出容量を示すグラフである。
【図１６】実施の形態２の表示装置に備えられたタッチパネルにおける駆動電極および検出電極の配置を模式的に示す平面図である。
【図１７】実施の形態２の表示装置に備えられたタッチパネルにおける駆動電極および検出電極の配置の第１変形例を模式的に示す平面図である。
【図１８】実施の形態２の表示装置に備えられたタッチパネルにおける駆動電極および検出電極の配置の第２変形例を模式的に示す平面図である。
【図１９】実施の形態２の表示装置に備えられたタッチパネルにおける駆動電極および検出電極の配置の第３変形例を模式的に示す平面図である。
【図２０】実施の形態２の表示装置に備えられたタッチパネルにおける駆動電極および検出電極の配置の第４変形例を模式的に示す平面図である。
【図２１】実施の形態２の表示装置に備えられたタッチパネルにおける駆動電極および検出電極の配置の第５変形例を模式的に示す平面図である。
【図２２】実施の形態２の表示装置に備えられたタッチパネルにおける駆動電極および検出電極の配置の第６変形例を模式的に示す平面図である。
【図２３】実施の形態３の表示装置に備えられたタッチパネルにおける駆動電極および検出電極の配置を模式的に示す平面図である。
【図２４】実施の形態３の表示装置に備えられたタッチパネルにおける駆動電極および検出電極の配置の第１変形例を模式的に示す平面図である。
【図２５】実施の形態３の表示装置に備えられたタッチパネルにおける駆動電極および検出電極の配置の第２変形例を模式的に示す平面図である。
【図２６】実施の形態３の表示装置に備えられたタッチパネルにおける駆動電極および検出電極の配置の第３変形例を模式的に示す平面図である。
【図２７】実施の形態３の表示装置に備えられたタッチパネルにおける駆動電極および検出電極の配置の第４変形例を模式的に示す平面図である。
【図２８】実施の形態３の表示装置に備えられたタッチパネルにおける駆動電極および検出電極の配置の第５変形例を模式的に示す平面図である。
【図２９】実施の形態３の表示装置に備えられたタッチパネルにおける駆動電極および検出電極の配置の第６変形例を模式的に示す平面図である。
【図３０】比較例２の表示装置に備えられたタッチパネルにおける駆動電極および検出電極の配置を模式的に示す平面図である。
【図３１】比較例２において、複数の駆動電極のそれぞれに駆動電圧を印加したときに検出される検出容量を示すグラフである。
【図３２】実施例５および実施例６において、複数の駆動電極のそれぞれに駆動電圧を印加したときに検出される検出容量を示すグラフである。
【図３３】実施の形態４のタッチパネルの一例の構成を示す平面図である。
【図３４】実施の形態４のタッチパネルの一例の構成を示す断面図である。
【図３５】実施の形態４の表示装置の一例の構成を示す断面図である。
【図３６】実施の形態５の電子機器の一例としてのテレビジョン装置の外観を表す斜視図である。
【図３７】実施の形態５の電子機器の一例としてのデジタルカメラの外観を表す斜視図である。
【図３８】実施の形態５の電子機器の一例としてのノート型パーソナルコンピュータの外観を表す斜視図である。
【図３９】実施の形態５の電子機器の一例としてのビデオカメラの外観を表す斜視図である。
【図４０】実施の形態５の電子機器の一例としての携帯電話機の外観を表す正面図である。
【図４１】実施の形態５の電子機器の一例としての携帯電話機の外観を表す正面図である。
【図４２】実施の形態５の電子機器の一例としてのスマートフォンの外観を表す正面図である。
【発明を実施するための形態】
【００２０】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２１】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２２】
さらに、以下の実施の形態において、その構成要素（要素ステップ等も含む）は、特に明示した場合および原理的に明らかに必須であると考えられる場合等を除き、必ずしも必須のものではないことはいうまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００２３】
以下、本発明の実施の形態を図面に基づいて詳細に説明する。なお、実施の形態を説明するための全図において、同一の機能を有する部材には同一の符号を付し、その繰り返しの説明は省略する。また、以下の実施の形態では、特に必要なとき以外は同一または同様な部分の説明を原則として繰り返さない。
【００２４】
さらに、実施の形態で用いる図面においては、断面図であっても図面を見やすくするためにハッチングを省略する場合もある。また、平面図であっても図面を見やすくするためにハッチングを付す場合もある。
【００２５】
（実施の形態１）
＜静電容量型入力装置の動作原理＞
まず、静電容量型のタッチパネルあるいはタッチセンサと呼ばれる入力装置の基本的な動作原理について説明する。図１は、静電容量型のタッチパネルの概要構成を示す説明図である。また、図２は、図１に示すタッチパネルに印加される駆動波形と、タッチパネルから出力される信号波形の関係の例を示す説明図である。さらに、図３は、図１に示す駆動電極および検出電極の配列の一例を模式的に示す説明図である。
【００２６】
入力装置としての静電容量型のタッチパネルＴＰ１は、複数の駆動電極Ｔｘと、複数の検出電極Ｒｘとを有する。駆動電極Ｔｘと検出電極Ｒｘとは、誘電層ＤＬを挟んで対向配置されており、駆動電極Ｔｘ、誘電層ＤＬおよび検出電極Ｒｘにより、容量素子Ｃ１が形成される。
【００２７】
駆動電極Ｔｘには、入力装置用の駆動回路ＤＲ１から、入力位置の検出用の電圧すなわち駆動電圧として、例えば図２に示すような矩形波である駆動波形ＤＷが印加される。検出電極Ｒｘからは、例えば図２に示すように駆動波形ＤＷ、および図１に示す容量素子Ｃ１の静電容量に応じた電流が流れ、信号波形ＳＷが出力される。検出電極Ｒｘから出力された信号波形ＳＷは、入力位置を検出する検出回路ＤＴ１（図１参照）に出力される。検出回路ＤＴ１は、ＡＤＣを備えており、そのＡＤＣにより、検出電極Ｒｘから出力された信号波形ＳＷすなわち検出容量を、アナログ信号からデジタル信号に変換して処理する。
【００２８】
ここで、図１に示すように、指やタッチペンなど、一端が接地電位に接続された容量素子である入力具ＣＭＤを、タッチパネルＴＰ１の検出電極Ｒｘに近づける、または、接触させると、入力具ＣＭＤに近い位置では、容量素子Ｃ１に入力具ＣＭＤの容量が追加される。このため、入力具ＣＭＤに近い位置に配置される検出電極Ｒｘから出力される信号波形ＳＷ１すなわち検出容量は、他の位置に配置される検出電極Ｒｘから出力される信号波形ＳＷ２すなわち検出容量よりも小さい（例えば図２参照）。
【００２９】
したがって、検出回路ＤＴ１では、複数の検出電極Ｒｘのそれぞれから伝送される信号波形ＳＷすなわち検出容量を監視すなわち計測して、信号波形ＳＷすなわち検出容量の変化量に基づいて入力具ＣＭＤの位置を特定すなわち検出することができる。例えば、信号波形ＳＷすなわち検出容量の変化量に予め閾値を設定し、閾値を超えた検出電極Ｒｘの位置データを参照して、入力具ＣＭＤの位置を出力することができる。また例えば、信号波形ＳＷすなわち検出容量の値を直接閾値と比較することもできる。
【００３０】
なお、容量素子Ｃ１に入力具ＣＭＤの容量が追加される現象は、入力具ＣＭＤと検出電極Ｒｘが接触した場合以外に、入力具ＣＭＤと検出電極Ｒｘが近づいた場合にも発生する。したがって、検出電極Ｒｘは、入力具ＣＭＤを配置する面に露出させなくてもよく、例えば、検出電極Ｒｘと入力具ＣＭＤの間に、カバー部材を配置して検出電極Ｒｘを保護することができる。
【００３１】
また、信号波形ＳＷすなわち検出容量を監視すなわち計測する方法には、種々の変形例があり、例えば、検出電極Ｒｘで発生する電圧値を計測する方法、あるいは、検出回路ＤＴ１に流れる単位時間当たりの電流値の積算量を計測する方法を用いることができる。
【００３２】
駆動電極Ｔｘと検出電極Ｒｘそれぞれの平面配置については、例えば、図３に示すように、駆動電極Ｔｘと検出電極Ｒｘを、それぞれ互いに交差（好ましくは直交）するように帯状に配置することができる。この場合、複数の駆動電極Ｔｘに順次、駆動波形ＤＷ（図２参照）を印加し、平面視において、駆動電極Ｔｘと検出電極Ｒｘとが交差する交差部毎に、信号波形ＳＷ（図２参照）の変化量を判定する。
【００３３】
なお、駆動電極Ｔｘと検出電極Ｒｘの配置の詳細については、後述する。
【００３４】
＜表示装置の構成＞
次に、本実施の形態１の表示装置の構成について説明する。図４は、実施の形態１の表示装置の一例の構成を示す平面図である。図５および図６は、実施の形態１の表示装置の一例の構成を示す断面図である。図５は、図４のＡ−Ａ線に沿った断面図である。また、図６は、図５に示す要部断面図を、さらに拡大して模式的に示すものである。
【００３５】
本実施の形態１の表示装置ＬＣＤ１は、タッチ検出機能付き表示装置である。また、本実施の形態１の表示装置ＬＣＤ１は、表示素子として液晶表示素子を備えた液晶表示装置と、静電容量型のタッチパネルＴＰ１からなる入力装置とを一体化した、いわゆるインセルタイプのタッチ検出機能付き表示装置である。
【００３６】
液晶表示装置において、後述する表示画像形成部として機能する液晶層の液晶分子の配向を変化させるために電界を印加する方式としては、主として以下の２つの方式が用いられている。第１の方式として、液晶表示装置の厚さ方向すなわち面外方向に電界が印加される、いわゆる、縦電界モードが用いられている。また、第２の方式として、液晶表示装置の平面方向すなわち面内方向に電界が印加される、いわゆる、横電界モードが用いられている。さらに、横電界モードとして、例えばＩＰＳ（In-Plane Switching）モードや、ＦＦＳ（Fringe Field Switching）モードなどが用いられている。そして、以下では、一例として、ＦＦＳモードの液晶表示装置と、タッチパネルＴＰ１からなる入力装置とを一体化した、インセルタイプの表示装置ＬＣＤ１について、説明する。
【００３７】
図４および図５に示すように、表示装置ＬＣＤ１は、基板１１と、基板１１に対向配置された基板１２と、基板１１と基板１２との間に配置された液晶層１３とを有する。基板１２は、表示装置ＬＣＤ１の表示面側に配置されており、基板１１は、表示装置ＬＣＤ１の表示面側と反対側に配置されている。
【００３８】
図６に示すように、基板１１は、基板１２側に位置する前面１１ａ、および、前面１１ａの反対側に位置する背面１１ｂを有する。基板１１は、各種電極や配線、薄膜トランジスタ（Thin Film Transistor：ＴＦＴ）などが形成される回路基板として用いられるものである。基板１１は、例えばガラスからなる。
【００３９】
基板１１上すなわち基板１１の前面１１ａ側には、複数の画素ごとに共通電極１４が配置されている。共通電極１４は、複数の画素ごとに共通の電圧を供給するための電極であり、例えばＩＴＯ（Indium Tin Oxide）などの、透光性を有し、透明な導電膜、すなわち透明導電膜からなる。なお、透光性を有するとか、透明であるとは、可視光領域に含まれる例えば５５０ｎｍの波長を有する光の透過率が例えば８０％以上であることを意味する。
【００４０】
共通電極１４は、図４に示すように、表示装置ＬＣＤ１が表示を行う領域、すなわち複数の画素がマトリクス状に配置されている領域である表示領域ＥＡ１内で、一方向に延在するように並設されている。このとき、共通電極１４は、共通電極１４が延在する方向（図７を用いて後述するＸ軸方向）に垂直な断面において、表示領域ＥＡ１の内部に配置されている。一方、図４に示すように、共通電極１４は、その両端が表示領域ＥＡ１の外側まで延在するように、形成されていてもよい。なお、共通電極１４の形状の詳細については、後述する。
【００４１】
共通電極１４上には絶縁膜１５が形成されている。また、絶縁膜１５上には、表示領域ＥＡ１内に配置された複数の画素のそれぞれに対応して、画素電極１６が配置されている。画素電極１６は、複数の画素のそれぞれに対応してマトリクス状またはアレイ状に配置されており、絶縁膜１５を介して共通電極１４と対向している。つまり、共通電極１４と画素電極１６とは、絶縁膜１５を挟んで互いに対向配置されている。画素電極１６は、画素ごとに表示を行うための画素信号としての電圧を供給するための電極であり、例えばＩＴＯなどの、透光性を有し、透明な導電膜、すなわち透明導電膜からなる。
【００４２】
図示は省略するが、基板１１上すなわち基板１１の前面１１ａ側には、画素ごとにＴＦＴなどのアクティブ素子が形成されている。また、基板１１上すなわち基板１１の前面１１ａ側には、画素電極１６を駆動するための表示ドライバや画素電極１６に画素信号を供給するソース線や、ＴＦＴを駆動するゲート線等の配線が形成されている。このような構成により、表示装置ＬＣＤ１では、表示期間において、画素電極１６に電圧が印加される。
【００４３】
基板１２は、表示面側である前面１２ａおよび前面１２ａの反対側に位置する背面１２ｂを有しており、基板１２の背面１２ｂが基板１１の前面１１ａと対向している。なお、前述した共通電極１４および画素電極１６は、基板１２の背面１２ｂ側に形成されているため、共通電極１４および画素電極１６は、基板１１と基板１２との間に配置されている。
【００４４】
基板１２の背面１２ｂには、カラーフィルタ１７が形成されている。カラーフィルタ１７は、例えば赤（Ｒ）、緑（Ｇ）、青（Ｂ）の３色のカラーフィルタ層を周期的に配列して構成されたものである。カラー表示装置では、例えばこの赤（Ｒ）、緑（Ｇ）、青（Ｂ）の３色のサブピクセルを１組として、１画素あるいは１ピクセルを構成する。
【００４５】
液晶層１３は、基板１１と基板１２との間に設けられている。液晶層１３は、画素電極１６と共通電極１４との間に表示用の電圧が印加されることで表示画像を形成する表示画像形成部として機能するものである。液晶層１３は、印加された電界の状態に応じてそこを通過する光を変調するものであり、本実施の形態１では、前述したように、ＦＦＳモードに対応した液晶ＬＣを用いることができる。なお、図示は省略するが、液晶層１３と基板１１、１２の間には、それぞれ配向膜が形成されている。液晶層１３は、基板１１と基板１２との間に、シール１８により封止されている。
【００４６】
表示装置ＬＣＤ１の基板１１の背面１１ｂ側には、光源ＬＳ、および、光源ＬＳから発生した光をフィルタリングする偏光板ＰＬ１が設けられている。一方、基板１２の前面１２ａ側には、基板１２を通過した光をフィルタリングする偏光板ＰＬ２が設けられている。
【００４７】
基板１１の前面１１ａには、配線基板２１が形成されている。配線基板２１は、例えば、樹脂フィルム内に複数の配線が形成され、配置場所の形状に応じて自在に変形させることができる、いわゆるフレキシブル配線基板である。配線基板２１には、配線２１ａが形成されている。配線２１ａの一端は、複数の画素電極１６と電気的に接続されており、配線２１ａの他端は、駆動回路ＤＲ２と電気的に接続されている。駆動回路ＤＲ２は、画素電極１６に画像表示用の駆動電位を供給する。
【００４８】
図４〜図６に示す表示装置ＬＣＤ１によるカラー画像の表示方法は、例えば以下の通りである。すなわち、光源ＬＳから出射された光は、偏光板ＰＬ１によってフィルタリングされ、偏光板ＰＬ１を通過して液晶層１３に入射する。液晶層１３に入射した光は、液晶ＬＣの屈折率の異方性に応じて偏光状態を変化させて液晶層１３中を基板１１から基板１２に向かう方向に伝搬され、基板１２から出射される。この時、画素電極１６と共通電極１４に電圧を印加して形成される電界により、液晶配向が制御され、液晶層１３は光学的なシャッターとして機能する。つまり、液晶層１３において、サブピクセル毎に光の透過率を制御することができる。基板１２に到達した光は、基板１２に形成されたカラーフィルタ１７において、色フィルタリング処理が施され、前面１２ａから出射される。また、前面１２ａから出射された光は、偏光板ＰＬ２によってフィルタリングされ、観者ＶＷに到達する。
【００４９】
＜タッチパネルの構成＞
引き続き、図４〜図６を参照し、表示装置ＬＣＤ１に備えられた、入力装置としてのタッチパネルＴＰ１の構成について説明する。
【００５０】
図１を用いて前述したように、入力装置としてのタッチパネルＴＰ１は、複数の駆動電極Ｔｘと、複数の検出電極Ｒｘとを有する。また、表示装置ＬＣＤ１は、インセルタイプの液晶表示装置である。そのため、表示装置ＬＣＤ１の共通電極１４が、タッチパネルＴＰ１の駆動電極Ｔｘとして用いられる。
【００５１】
共通電極１４は、図４を用いて前述したように、表示装置ＬＣＤ１が表示を行う領域である表示領域ＥＡ１内に配置されているが、駆動電極Ｔｘとしても用いられるため、タッチパネルＴＰ１が入力位置を検出する領域である検出領域ＥＡ２内にも配置されている。すなわち、駆動電極Ｔｘとしての共通電極１４は、図４に示すように、検出領域ＥＡ２内で、一方向に延在するように並設されている。このとき、駆動電極Ｔｘとしての共通電極１４は、共通電極１４が延在する方向（図７を用いて後述するＸ軸方向）に垂直な断面において、検出領域ＥＡ２の内部に配置されている。一方、図４に示すように、駆動電極Ｔｘとしての共通電極１４は、その両端が検出領域ＥＡ２の外側まで延在するように、形成されていてもよい。
【００５２】
また、表示装置ＬＣＤ１は、インセルタイプの液晶表示装置であるため、タッチパネルが位置を検出する領域である検出領域ＥＡ２は、表示装置が表示を行う領域である表示領域ＥＡ１と、一致する。しかし、実施の形態４で後述するように、表示装置がオンセルタイプの表示装置であるときは、タッチパネルが位置を検出する領域である検出領域ＥＡ２は、表示装置が表示を行う領域である表示領域ＥＡ１と、一致しなくてもよい。
【００５３】
また、平面視における共通電極１４すなわち駆動電極Ｔｘの形状の詳細については、後述する。
【００５４】
基板１２の前面１２ａには、複数の検出電極Ｒｘが形成されている。複数の検出電極Ｒｘは、例えばＩＴＯなどの、透光性を有し、透明な導電膜、すなわち透明導電膜からなる。なお、平面視における検出電極Ｒｘの形状の詳細についても、後述する。
【００５５】
基板１１の前面１１ａには、前述したように、配線基板２１が形成されている。配線基板２１には、配線２１ｂが形成されている。配線２１ｂの一端は、複数の共通電極１４のそれぞれと電気的に接続されており、配線２１ｂの他端は、駆動回路ＤＲ１と電気的に接続されている。駆動回路ＤＲ１は、駆動電極Ｔｘとしての共通電極１４に、図２を用いて説明した入力位置検出用の駆動波形ＤＷを印加する。
【００５６】
例えば、ある期間を、タッチ検出期間すなわち入力期間と、ディスプレイ書込み期間に分けることで、共通電極１４と駆動電極Ｔｘとを兼用することができる。そして、表示装置ＬＣＤ１の共通電極１４とタッチパネルＴＰ１の駆動電極Ｔｘを兼用することで、表示装置ＬＣＤ１の全体の厚さを薄型化することができる。
【００５７】
基板１２の前面１２ａには、配線基板２２が形成されている。配線基板２２は、例えば、樹脂フィルム内に複数の配線が形成され、配置場所の形状に応じて自在に変形させることができる、いわゆるフレキシブル配線基板である。配線基板２２には、配線２２ａが形成されている。配線２２ａの一端は、複数の検出電極Ｒｘのそれぞれと電気的に接続され、配線２２ａの他端は、検出回路ＤＴ１と電気的に接続されている。検出回路ＤＴ１は、検出信号に基づいて、入力位置を検出する。
【００５８】
なお、表示領域ＥＡ１すなわち検出領域ＥＡ２の外側の領域では、例えば遮光層が形成されているため、検出電極Ｒｘおよび配線基板２１、２２は視認されない。
【００５９】
＜駆動電極および検出電極の配置＞
図７は、実施の形態１の表示装置に備えられたタッチパネルにおける駆動電極および検出電極の配置を模式的に示す平面図である。
【００６０】
図７に示すように、平面視において、互いに交差する２つの方向を、Ｘ軸方向およびＹ軸方向とする。また、図７に示すように、Ｘ軸方向とＹ軸方向は、好適には、互いに直交する。なお、本願明細書において、平面視においてとは、基板１２の前面１２ａ（図６参照）に垂直な方向から視た場合を意味する。
【００６１】
また、以下の説明において、理解を簡単にするために、一例として駆動電極Ｔｘの本数を１０本とし、検出電極Ｒｘの本数を１０本とする。しかし、駆動電極Ｔｘの本数は１０本に限定されず、検出電極Ｒｘの本数は、１０本に限定されない。したがって、駆動電極Ｔｘの本数をＭ（Ｍは、３以上の整数である）本とすることができ、検出電極Ｒｘの本数をＮ（Ｎは、２以上の整数である）本とすることができる（本実施の形態１の変形例、ならびに、実施の形態２、実施の形態３およびそれらの変形例においても同様）。
【００６２】
図７に示すように、タッチパネルＴＰ１には、複数の駆動電極Ｔｘの一例として、例えばＴｘ１、Ｔｘ２、・・・、Ｔｘ９、Ｔｘ１０の１０本の駆動電極Ｔｘが設けられているものとする。また、図７に示すように、タッチパネルＴＰ１には、複数の検出電極Ｒｘの一例として、例えばＲｘ１、・・・、Ｒｘ１０の１０本の検出電極Ｒｘが設けられているものとする。
【００６３】
駆動電極Ｔｘ１〜Ｔｘ１０は、平面視において、Ｘ軸方向にそれぞれ延在し、かつ、Ｙ軸方向に配列されている。すなわち、駆動電極Ｔｘ１〜Ｔｘ１０のそれぞれは、Ｘ軸方向に延在しており、これらの駆動電極Ｔｘ１〜Ｔｘ１０が、互いに間隔を空けて、Ｔｘ１、Ｔｘ２、・・・、Ｔｘ９、Ｔｘ１０の順序で、Ｙ軸方向に並んでいる。一方、検出電極Ｒｘ１〜Ｒｘ１０は、平面視において、Ｙ軸方向にそれぞれ延在し、かつ、Ｘ軸方向に配列されている。すなわち、検出電極Ｒｘ１〜Ｒｘ１０のそれぞれは、Ｙ軸方向に延在しており、これらの検出電極Ｒｘ１〜Ｒｘ１０が、互いに間隔を空けて、Ｒｘ１、・・・、Ｒｘ１０の順序で、Ｘ軸方向に並んでいる。検出電極Ｒｘ１〜Ｒｘ１０のそれぞれは、平面視において、駆動電極Ｔｘ１〜Ｔｘ１０と交差している。
【００６４】
平面視において、駆動電極Ｔｘ２〜Ｔｘ９のそれぞれのＹ軸方向の幅をＷＤ１とし、駆動電極Ｔｘ１のＹ軸方向の幅をＷＤ２とし、駆動電極Ｔｘ１０のＹ軸方向の幅をＷＤ３とする。このとき、駆動電極Ｔｘ２〜Ｔｘ９のそれぞれの幅ＷＤ１同士は、互いに等しく、駆動電極Ｔｘ１の幅ＷＤ２は、駆動電極Ｔｘ２〜Ｔｘ９のそれぞれの幅ＷＤ１よりも小さく、駆動電極Ｔｘ１０の幅ＷＤ３は、駆動電極Ｔｘ２〜Ｔｘ９のそれぞれの幅ＷＤ１よりも小さい。
【００６５】
また、駆動電極Ｔｘ１は、平面視において、複数の駆動電極Ｔｘ２〜Ｔｘ９の配列の一方の外側に配置されており、駆動電極Ｔｘ１０は、平面視において、複数の駆動電極Ｔｘ２〜Ｔｘ９の配列の他方の外側に配置されている。
【００６６】
なお、図７では図示を省略するが、画素電極１６（図６参照）は、複数の画素のそれぞれに対応して、図７におけるＸ軸方向およびＹ軸方向のそれぞれに配列され、マトリクス状に配置されている。
【００６７】
図６を用いて前述したように、共通電極１４は、タッチパネルＴＰ１の駆動電極Ｔｘとしての機能と、表示装置ＬＣＤ１の共通電極１４としての機能とを有する。また、表示装置ＬＣＤ１の画素電極１６と共通電極１４との間に印加される電圧を画素ごとに制御する必要があるので、平面視において、隣り合う２つの共通電極が１つの画素電極と重なることは望ましくない。したがって、駆動電極Ｔｘ２〜Ｔｘ９のそれぞれの幅ＷＤ１は、Ｙ軸方向における画素電極の配列周期または幅の整数倍（２以上の整数倍）であり、その整数は、駆動電極Ｔｘの１本当たりの画素数である。つまり、駆動電極Ｔｘ２〜Ｔｘ９のそれぞれは、平面視において、Ｙ軸方向に配列された複数の画素電極と重なるような幅を有している。
【００６８】
ところが、Ｙ軸方向における画素電極の数すなわち画素数は、表示装置としての要求仕様から決定されるものである。そのため、Ｙ軸方向の画素数が、駆動電極Ｔｘの１本当たりの画素数で割り切れないことがある。このような場合に、割り切れずに生じた端数を、駆動電極Ｔｘの配列の例えば両端の駆動電極Ｔｘに分けて割り当て、割り当てられた端数と、Ｙ軸方向における画素電極の配列周期または幅とを乗じて得た幅を、それぞれ駆動電極Ｔｘ１、Ｔｘ１０の幅ＷＤ２、ＷＤ３とすることになる。このようにして、駆動電極Ｔｘ１、Ｔｘ１０の幅ＷＤ２、ＷＤ３が、駆動電極Ｔｘ２〜Ｔｘ９のそれぞれの幅ＷＤ１よりも小さくなるのである。
【００６９】
例えば、Ｙ軸方向に８９個の画素が配置され、１０個の画素ごとに１つの駆動電極Ｔｘを配置する場合を考える。この場合、８９個の画素を１０個ずつに分けたときの余り９個の画素を４個の画素と５個の画素とに分け、その４個の画素と５個の画素とを、駆動電極Ｔｘの配列の両端の駆動電極に分けて割り当てる。そのため、駆動電極Ｔｘ２〜Ｔｘ９のそれぞれの幅ＷＤ１を例えば１０画素分の幅とし、駆動電極Ｔｘ１の幅ＷＤ２を４画素分の幅とし、駆動電極Ｔｘ１０の幅ＷＤ３を５画素分の幅とすることができる。
【００７０】
検出電極Ｒｘ１〜Ｒｘ１０は、同一の形状を有するものとすることができるため、以下では、検出電極Ｒｘ１〜Ｒｘ１０を代表し、検出電極Ｒｘ１について、検出電極Ｒｘとして説明する（本実施の形態１の変形例、ならびに、実施の形態２、実施の形態３およびそれらの変形例においても同様）。
【００７１】
駆動電極Ｔｘ２〜Ｔｘ９のそれぞれと検出電極Ｒｘとの交差部をＣＲ１とし、駆動電極Ｔｘ１と検出電極Ｒｘとの交差部をＣＲ２とし、駆動電極Ｔｘ１０と検出電極Ｒｘとの交差部をＣＲ３とする。また、駆動電極Ｔｘ２〜Ｔｘ９のそれぞれと検出電極Ｒｘとの間の静電容量をＣＰ１とし、駆動電極Ｔｘ１と検出電極Ｒｘとの間の静電容量をＣＰ２とし、駆動電極Ｔｘ１０と検出電極Ｒｘとの間の静電容量をＣＰ３とする。このとき、静電容量ＣＰ１、ＣＰ２、ＣＰ３に基づいて、入力位置が検出される。
【００７２】
検出電極Ｒｘは、本体部ＢＤ、ならびに、複数の張出部ＯＨ１および張出部ＯＨ２〜ＯＨ５を含む。本体部ＢＤは、Ｙ軸方向に延在しており、本体部ＢＤのＸ軸方向の幅をＷＢとする。なお、図７では、駆動電極Ｔｘ２が設けられた領域の内部で形成された張出部ＯＨ１、および、張出部ＯＨ２、ＯＨ３にハッチングを付している。
【００７３】
また、以下では、張出部ＯＨ１〜ＯＨ５が矩形形状を有する場合を例示して説明するが、張出部ＯＨ１〜ＯＨ５は、矩形形状以外にも、三角形状、半円形状その他各種の形状を有することができる（本実施の形態１の変形例、ならびに、実施の形態２、実施の形態３およびそれらの変形例においても同様）。
【００７４】
複数の張出部ＯＨ１のそれぞれは、平面視において、駆動電極Ｔｘ２〜Ｔｘ９のそれぞれが設けられた領域の内部で、すなわち、複数の交差部ＣＲ１のそれぞれで、本体部ＢＤからＸ軸方向の正の方向および負の方向にそれぞれ張り出すように、形成されている。張出部ＯＨ１は、張出部ＯＨ１が形成されていない場合に比べ、検出電極Ｒｘの面積を拡張する拡張部である。また、好適には、複数の張出部ＯＨ１の面積同士は、互いに等しい。これにより、張出部ＯＨ１の形状が周期性を有し、目立たなくなるため、表示装置ＬＣＤ１の視認性を向上させることができ、また、駆動電極Ｔｘ２〜Ｔｘ９のそれぞれと、検出電極Ｒｘとの間の静電容量を、互いに等しくすることができる。
【００７５】
なお、Ｘ軸方向の正の方向および負の方向は、Ｘ軸方向に沿って互いに反対方向であり、Ｘ軸方向の正の方向は、検出電極Ｒｘ１から検出電極Ｒｘ１０に向かう方向であり、Ｘ軸方向の負の方向は、検出電極Ｒｘ１０から検出電極Ｒｘ１に向かう方向である。
【００７６】
張出部ＯＨ２は、平面視において、駆動電極Ｔｘ１が設けられた領域の内部で、すなわち、交差部ＣＲ２で、本体部ＢＤからＸ軸方向の正の方向および負の方向にそれぞれ張り出すように、形成されている。張出部ＯＨ２は、張出部ＯＨ２が形成されていない場合に比べ、検出電極Ｒｘの面積を拡張する拡張部である。また、好適には、張出部ＯＨ２の面積は、張出部ＯＨ１の面積と等しい。これにより、張出部ＯＨ２の形状を張出部ＯＨ１の形状と同一とすることができ、張出部ＯＨ２が目立たなくなるため、表示装置ＬＣＤ１の視認性を向上させることができる。
【００７７】
張出部ＯＨ３は、平面視において、駆動電極Ｔｘ１０が設けられた領域の内部で、すなわち、交差部ＣＲ３で、本体部ＢＤからＸ軸方向の正の方向および負の方向にそれぞれ張り出すように、形成されている。張出部ＯＨ３は、張出部ＯＨ３が形成されていない場合に比べ、検出電極Ｒｘの面積を拡張する拡張部である。また、好適には、張出部ＯＨ３の面積は、張出部ＯＨ１の面積と等しい。これにより、張出部ＯＨ３の形状を張出部ＯＨ１の形状と同一とすることができ、張出部ＯＨ３が目立たなくなるため、表示装置ＬＣＤ１の視認性を向上させることができる。
【００７８】
張出部ＯＨ４は、平面視において、駆動電極Ｔｘ１を挟んで複数の駆動電極Ｔｘ２〜Ｔｘ９と反対側すなわち駆動電極Ｔｘ１に対してＹ軸方向の正の方向側で、本体部ＢＤからＸ軸方向の正の方向および負の方向に張り出すように、形成されている。張出部ＯＨ４は、張出部ＯＨ４が形成されていない場合に比べ、検出電極Ｒｘの面積を拡張する拡張部である。
【００７９】
張出部ＯＨ５は、平面視において、駆動電極Ｔｘ１０を挟んで複数の駆動電極Ｔｘ２〜Ｔｘ９と反対側すなわち駆動電極Ｔｘ１０に対してＹ軸方向の負の方向側で、本体部ＢＤからＸ軸方向の正の方向および負の方向に張り出すように、形成されている。張出部ＯＨ５は、張出部ＯＨ５が形成されていない場合に比べ、検出電極Ｒｘの面積を拡張する拡張部である。
【００８０】
なお、Ｙ軸方向の正の方向および負の方向は、Ｙ軸方向に沿って互いに反対方向であり、Ｙ軸方向の正の方向は、駆動電極Ｔｘ１０から駆動電極Ｔｘ１に向かう方向であり、Ｙ軸方向の負の方向は、駆動電極Ｔｘ１から駆動電極Ｔｘ１０に向かう方向である。
【００８１】
張出部ＯＨ１のＸ軸方向の長さをＬＮ１とし、張出部ＯＨ１のＹ軸方向の幅をＷＲ１とする。また、張出部ＯＨ２のＸ軸方向の長さをＬＮ２とし、張出部ＯＨ２のＹ軸方向の幅をＷＲ２とする。さらに、張出部ＯＨ３のＸ軸方向の長さをＬＮ３とし、張出部ＯＨ３のＹ軸方向の幅をＷＲ３とする。
【００８２】
本実施の形態１では、例えば張出部ＯＨ１の長さＬＮ１、張出部ＯＨ２の長さＬＮ２、および、張出部ＯＨ３の長さＬＮ３は、互いに等しいものとする。また、例えば張出部ＯＨ１の幅ＷＲ１、張出部ＯＨ２の幅ＷＲ２、および、張出部ＯＨ３の幅ＷＲ３は、互いに等しいものとする。このとき、長さＬＮ２と幅ＷＲ２との積である張出部ＯＨ２の面積ＳＯ２は、長さＬＮ１と幅ＷＲ１との積である張出部ＯＨ１の面積ＳＯ１と等しくなる。そして、長さＬＮ３と幅ＷＲ３との積である張出部ＯＨ３の面積ＳＯ３は、長さＬＮ１と幅ＷＲ１との積である張出部ＯＨ１の面積ＳＯ１と等しくなる。
【００８３】
また、本体部ＢＤのうち駆動電極Ｔｘ２〜Ｔｘ９のそれぞれと重なる部分の面積ＳＢ１は、幅ＷＢと幅ＷＤ１との積で表される。そして、本体部ＢＤのうち駆動電極Ｔｘ１と重なる部分の面積ＳＢ２は、幅ＷＢと幅ＷＤ２との積で表され、本体部ＢＤのうち駆動電極Ｔｘ１０と重なる部分の面積ＳＢ３は、幅ＷＢと幅ＷＤ３との積で表される。したがって、検出電極Ｒｘのうち駆動電極Ｔｘ２〜Ｔｘ９のそれぞれと重なる部分の面積Ｓ１は、
Ｓ１＝ＳＢ１＋ＳＯ１×２＝ＷＢ×ＷＤ１＋ＬＮ１×ＷＲ１×２    式（１）
で表される。また、検出電極Ｒｘのうち駆動電極Ｔｘ１と重なる部分の面積Ｓ２は、
Ｓ２＝ＳＢ２＋ＳＯ２×２＝ＷＢ×ＷＤ２＋ＬＮ２×ＷＲ２×２    式（２）
で表される。さらに、検出電極Ｒｘのうち駆動電極Ｔｘ１０と重なる部分の面積Ｓ３は、
Ｓ３＝ＳＢ３＋ＳＯ３×２＝ＷＢ×ＷＤ３＋ＬＮ３×ＷＲ３×２    式（３）
で表される。
【００８４】
前述したように、幅ＷＤ２は幅ＷＤ１よりも小さく、幅ＷＤ３は幅ＷＤ１よりも小さいため、面積ＳＢ２は面積ＳＢ１よりも小さく、面積ＳＢ３は面積ＳＢ１よりも小さい。また、前述したように、面積ＳＯ２は面積ＳＯ１と等しく、面積ＳＯ３は面積ＳＯ１と等しい。したがって、上記式（１）および式（２）により、面積Ｓ２が面積Ｓ１よりも小さくなり、駆動電極Ｔｘ１と検出電極Ｒｘとの間の静電容量ＣＰ２は、駆動電極Ｔｘ２〜Ｔｘ９のそれぞれと検出電極Ｒｘとの間の静電容量ＣＰ１よりも小さくなる。また、上記式（１）および式（３）により、面積Ｓ３が面積Ｓ１よりも小さくなり、駆動電極Ｔｘ１０と検出電極Ｒｘとの間の静電容量ＣＰ３は、駆動電極Ｔｘ２〜Ｔｘ９のそれぞれと検出電極Ｒｘとの間の静電容量ＣＰ１よりも小さくなる。
【００８５】
しかし、本実施の形態１では、張出部ＯＨ４が形成されている。また、平面視において、張出部ＯＨ４は、駆動電極Ｔｘ１と重なってはいないものの、駆動電極Ｔｘ１付近に配置することができる。そのため、張出部ＯＨ４が形成されることで、駆動電極Ｔｘ１と検出電極Ｒｘとの間の静電容量ＣＰ２を増加させることができ、この静電容量ＣＰ２が、駆動電極Ｔｘ２〜Ｔｘ９のそれぞれと検出電極Ｒｘとの間の静電容量ＣＰ１に近づくように、調整することができる。
【００８６】
また、本実施の形態１では、張出部ＯＨ５が形成されている。また、平面視において、張出部ＯＨ５は、駆動電極Ｔｘ１０と重なってはいないものの、駆動電極Ｔｘ１０付近に配置することができる。そのため、張出部ＯＨ５が形成されることで、駆動電極Ｔｘ１０と検出電極Ｒｘとの間の静電容量ＣＰ３を増加させることができ、この静電容量ＣＰ３が、駆動電極Ｔｘ２〜Ｔｘ９のそれぞれと検出電極Ｒｘとの間の静電容量ＣＰ１に近づくように、調整することができる。
【００８７】
つまり、他の駆動電極の幅よりも小さい幅を有する駆動電極が、他の駆動電極の配列の両側に配置されている場合に、その小さい幅を有する駆動電極と検出電極との間の静電容量が、他の駆動電極と検出電極との間の静電容量に近づくように、調整することができる。
【００８８】
なお、「静電容量ＣＰ２が、静電容量ＣＰ１に近づく」とは、静電容量ＣＰ１に対する静電容量ＣＰ２の比率が１に近づくことを意味し、好適には、例えば、静電容量ＣＰ１に対する静電容量ＣＰ２の比率が０．９〜１．１になることを意味する。また、「静電容量ＣＰ３が、静電容量ＣＰ１に近づく」とは、静電容量ＣＰ１に対する静電容量ＣＰ３の比率が１に近づくことを意味し、好適には、例えば、静電容量ＣＰ１に対する静電容量ＣＰ３の比率が０．９〜１．１になることを意味する。すなわち、「第２の静電容量が、第１の静電容量に近づく」とは、第１の静電容量に対する第２の静電容量の比率が１に近づくことを意味し、好適には、例えば、第１の静電容量に対する第２の静電容量の比率が０．９〜１．１になることを意味する（本実施の形態１の変形例、実施の形態２およびその変形例、実施の形態３およびその変形例、実施の形態４、ならびに、実施の形態５においても同様）。
【００８９】
駆動電極Ｔｘ１〜Ｔｘ１０は、Ｘ軸方向に垂直な断面において、前述した表示領域ＥＡ１の内部に配置されている。また、張出部ＯＨ４、ＯＨ５は、平面視において、表示領域ＥＡ１の外側の領域ＯＥＡに配置されている。さらに、表示領域ＥＡ１は画素が形成されている領域であるため遮光されていないが、表示領域ＥＡ１の外側の領域ＯＥＡは、図示しない遮光層により遮光されている。したがって、張出部ＯＨ４、ＯＨ５は、図示しない遮光層により遮光されている。これにより、張出部ＯＨ４、ＯＨ５のパターン形状が視認されなくなるので、表示装置の視認性を向上させることができる。
【００９０】
つまり、本実施の形態１では、他の駆動電極の幅よりも小さい幅を有する駆動電極と検出電極との間の静電容量を調整するために、検出電極の面積を拡張する拡張部が、平面視において、表示領域の外側に設けられている。
【００９１】
平面視において、張出部ＯＨ４は、張出部ＯＨ４の外周部が駆動電極Ｔｘ１と接する位置、すなわち、図７に示す間隔ＤＳ１が０になる位置まで、張出部ＯＨ４を駆動電極Ｔｘ１に近づけることができる。ここで、間隔ＤＳ１は、張出部ＯＨ４のＹ軸方向の負の方向側の外周と、駆動電極Ｔｘ１のＹ軸方向の正の方向側の外周との距離である。つまり、張出部ＯＨ４は、好適には、張出部ＯＨ４のＹ軸方向の負の方向側の外周が、平面視において、駆動電極Ｔｘ１のＹ軸方向の正の方向側の外周に接するように、形成されている。これにより、表示装置の視認性を向上させつつ、駆動電極Ｔｘ１と検出電極Ｒｘとの間の静電容量ＣＰ２が、駆動電極Ｔｘ２〜Ｔｘ９のそれぞれと検出電極Ｒｘとの間の静電容量ＣＰ１に近づくように、調整することができる。
【００９２】
また、平面視において、張出部ＯＨ５は、張出部ＯＨ５の外周部が駆動電極Ｔｘ１０と接する位置、すなわち、図７に示す間隔ＤＳ２が０になる位置まで、張出部ＯＨ５を駆動電極Ｔｘ１０に近づけることができる。ここで、間隔ＤＳ２は、張出部ＯＨ５のＹ軸方向の正の方向側の外周と、駆動電極Ｔｘ１０のＹ軸方向の負の方向側の外周との距離である。つまり、張出部ＯＨ５は、好適には、張出部ＯＨ５のＹ軸方向の正の方向側の外周が、平面視において、駆動電極Ｔｘ１０のＹ軸方向の負の方向側の外周に接するように、形成されている。これにより、表示装置の視認性を向上させつつ、駆動電極Ｔｘ１０と検出電極Ｒｘとの間の静電容量ＣＰ３が、駆動電極Ｔｘ２〜Ｔｘ９のそれぞれと検出電極Ｒｘとの間の静電容量ＣＰ１に近づくように、調整することができる。
【００９３】
なお、図７では、駆動電極Ｔｘ１〜Ｔｘ１０のそれぞれの両端が、表示領域ＥＡ１すなわち検出領域ＥＡ２の内部にある場合を例示している。しかし、図４に示したように、駆動電極Ｔｘ１〜Ｔｘ１０のそれぞれの両端は、表示領域ＥＡ１すなわち検出領域ＥＡ２の外側の領域にあってもよい（本実施の形態１の変形例、ならびに、実施の形態２、実施の形態３およびそれらの変形例においても同様）。
【００９４】
＜駆動電極および検出電極の配置の第１変形例＞
図８は、実施の形態１の表示装置に備えられたタッチパネルにおける駆動電極および検出電極の配置の第１変形例を模式的に示す平面図である。図８は、駆動電極Ｔｘ１の幅は、駆動電極Ｔｘ２〜Ｔｘ９のそれぞれの幅よりも小さいが、駆動電極Ｔｘ１０の幅は、駆動電極Ｔｘ２〜Ｔｘ９のそれぞれの幅と等しい例について示す。なお、図８に示すタッチパネルＴＰ１のうち、図７に示すタッチパネルＴＰ１の部材と同一の機能を有する部材には、同一の符号を付し、その繰り返しの説明は省略する。
【００９５】
本第１変形例では、駆動電極Ｔｘ２〜Ｔｘ１０のそれぞれの幅ＷＤ１同士は、互いに等しく、駆動電極Ｔｘ１の幅ＷＤ２は、駆動電極Ｔｘ２〜Ｔｘ１０のそれぞれの幅ＷＤ１よりも小さい。また、駆動電極Ｔｘ１は、平面視において、複数の駆動電極Ｔｘ２〜Ｔｘ１０の配列の一方の外側に配置されている。
【００９６】
本第１変形例では、Ｙ軸方向に沿った画素数が、駆動電極Ｔｘの１本当たりの画素数で、割り切れない場合に、割り切れずに生じた端数を、駆動電極Ｔｘの配列の一端に割り当て、割り当てられた端数と、画素電極の配列周期または幅とを乗じて得た幅を、駆動電極Ｔｘ１の幅ＷＤ２とすることになる。
【００９７】
駆動電極Ｔｘ２〜Ｔｘ１０のそれぞれと検出電極Ｒｘとの交差部をＣＲ１とし、駆動電極Ｔｘ１と検出電極Ｒｘとの交差部をＣＲ２とする。また、駆動電極Ｔｘ２〜Ｔｘ１０のそれぞれと検出電極Ｒｘとの間の静電容量をＣＰ１とし、駆動電極Ｔｘ１と検出電極Ｒｘとの間の静電容量をＣＰ２とする。このとき、静電容量ＣＰ１、ＣＰ２に基づいて、入力位置が検出される。
【００９８】
検出電極Ｒｘは、本体部ＢＤおよび複数の張出部ＯＨ１、および、張出部ＯＨ２、ＯＨ４を含むが、張出部ＯＨ３、ＯＨ５（図７参照）を含まない。
【００９９】
複数の張出部ＯＨ１は、平面視において、駆動電極Ｔｘ２〜Ｔｘ１０のそれぞれが設けられた領域の内部で、すなわち、複数の交差部ＣＲ１のそれぞれで、本体部ＢＤからＸ軸方向の正の方向および負の方向にそれぞれ張り出すように、形成されている。張出部ＯＨ１は、張出部ＯＨ１が形成されていない場合に比べ、検出電極Ｒｘの面積を拡張する拡張部である。また、好適には、複数の駆動電極Ｔｘ２〜Ｔｘ１０のそれぞれの張出部ＯＨ１の面積同士は、互いに等しい。これにより、張出部ＯＨ１の形状が周期性を有し、目立たなくなるため、表示装置ＬＣＤ１の視認性を向上させることができ、また、駆動電極Ｔｘ２〜Ｔｘ１０のそれぞれと検出電極Ｒｘとの間の静電容量を、互いに等しくすることができる。
【０１００】
本第１変形例における張出部ＯＨ２は、実施の形態１における張出部ＯＨ２と、同一とすることができる。また、本第１変形例における張出部ＯＨ４は、実施の形態１における張出部ＯＨ４と、同一とすることができる。
【０１０１】
本第１変形例では、実施の形態１と同様に、張出部ＯＨ４が形成されることで、駆動電極Ｔｘ１と検出電極Ｒｘとの間の静電容量を増加させることができる。これにより、駆動電極Ｔｘ１と検出電極Ｒｘとの間の静電容量が、駆動電極Ｔｘ２〜Ｔｘ１０のそれぞれと検出電極Ｒｘとの間の静電容量に近づくように、調整することができる。
【０１０２】
つまり、他の駆動電極の幅よりも小さい幅を有する駆動電極が、他の駆動電極の配列の一方の外側のみに配置されている場合でも、その小さい幅を有する駆動電極と検出電極との間の静電容量が、他の駆動電極と検出電極との間の静電容量に近づくように、調整することができる。
【０１０３】
＜駆動電極および検出電極の配置の第２変形例および第３変形例＞
図９は、実施の形態１の表示装置に備えられたタッチパネルにおける駆動電極および検出電極の配置の第２変形例を模式的に示す平面図である。図１０は、実施の形態１の表示装置に備えられたタッチパネルにおける駆動電極および検出電極の配置の第３変形例を模式的に示す平面図である。図９および図１０は、張出部ＯＨ１〜ＯＨ５が、本体部ＢＤの一方の側に張り出しているが、本体部ＢＤの他方の側には張り出していない例について示す。なお、第２変形例および第３変形例におけるタッチパネルＴＰ１のうち、張出部ＯＨ１〜ＯＨ５以外の各部分については、実施の形態１におけるタッチパネルＴＰ１の各部分と同一である。したがって、図９および図１０に示すタッチパネルＴＰ１のうち、張出部ＯＨ１〜ＯＨ５以外の各部分であって、図７に示すタッチパネルＴＰ１の部材と同一の機能を有する部材には、同一の符号を付し、その繰り返しの説明は省略する。
【０１０４】
図９に示す第２変形例では、複数の張出部ＯＨ１、および張出部ＯＨ２〜ＯＨ５は、平面視において、本体部ＢＤからＸ軸方向の正の方向のみに張り出すように形成されており、検出電極Ｒｘは、櫛状の形状を有している。
【０１０５】
また、図１０に示す第３変形例では、複数の張出部ＯＨ１、および張出部ＯＨ２〜ＯＨ５は、本体部ＢＤからＸ軸方向の正の方向または負の方向に張り出すように形成されており、検出電極Ｒｘは、櫛状の形状を有している。そして、本第３変形例では、張出部ＯＨ１〜ＯＨ５が本体部ＢＤからＸ軸方向の正の方向に張り出している検出電極と、張出部ＯＨ１〜ＯＨ５が本体部ＢＤからＸ軸方向の負の方向に張り出している検出電極とが、Ｘ軸方向に交互に配列されている。
【０１０６】
本第２変形例および本第３変形例のいずれの場合でも、実施の形態１と同様に、張出部ＯＨ４が形成されることで、駆動電極Ｔｘ１と検出電極Ｒｘとの間の静電容量が、駆動電極Ｔｘ２〜Ｔｘ９のそれぞれと検出電極Ｒｘとの間の静電容量に近づくように、調整することができる。また、本第２変形例および本第３変形例のいずれの場合でも、実施の形態１と同様に、張出部ＯＨ５が形成されることで、駆動電極Ｔｘ１０と検出電極Ｒｘとの間の静電容量が、駆動電極Ｔｘ２〜Ｔｘ９のそれぞれと検出電極Ｒｘとの間の静電容量に近づくように、調整することができる。
【０１０７】
＜駆動電極および検出電極の配置の第４変形例＞
図１１は、実施の形態１の表示装置に備えられたタッチパネルにおける駆動電極および検出電極の配置の第４変形例を模式的に示す平面図である。図１１は、複数の検出電極のそれぞれが複数の本体部を有する例について示す。なお、図１１では、基板１２、表示領域ＥＡ１、検出領域ＥＡ２および領域ＯＥＡ（図７参照）の図示を省略する。また、第４変形例におけるタッチパネルのうち、検出電極Ｒｘ１〜Ｒｘ１０すなわち検出電極Ｒｘ以外の各部分は、実施の形態１におけるタッチパネルＴＰ１の各部分と同一である。したがって、図１１に示すタッチパネルのうち、検出電極Ｒｘ以外の各部分であって、図７に示すタッチパネルＴＰ１の部材と同一の機能を有する部材には、同一の符号を付し、その繰り返しの説明は省略する。
【０１０８】
図１１に示す第４変形例では、検出電極Ｒｘは、３本の本体部ＢＤ１、ＢＤ２、ＢＤ３、複数の繋ぎ部ＣＮ１および繋ぎ部ＣＮ２〜ＣＮ５、ならびに、複数の張出部ＯＨ１および張出部ＯＨ２〜ＯＨ５を含む。
【０１０９】
３本の本体部ＢＤ１、ＢＤ２、ＢＤ３は、Ｙ軸方向にそれぞれ延在し、かつ、Ｘ軸方向に配列されている。３本の本体部ＢＤ１、ＢＤ２、ＢＤ３は、Ｙ軸方向の負の方向側で１本にまとめられており、Ｙ軸方向の負の方向側で互いに電気的に接続されている。なお、検出電極Ｒｘが３本の本体部ＢＤ１、ＢＤ２、ＢＤ３を含む場合には限定されず、２本または４本以上の本体部を含んでもよい。
【０１１０】
複数の繋ぎ部ＣＮ１のそれぞれは、平面視において、駆動電極Ｔｘ２〜Ｔｘ９のそれぞれが設けられた領域の内部で、本体部ＢＤ１、ＢＤ２、ＢＤ３を繋ぐように形成されている。繋ぎ部ＣＮ２は、平面視において、駆動電極Ｔｘ１が設けられた領域の内部で、本体部ＢＤ１、ＢＤ２、ＢＤ３を繋ぐように形成されている。繋ぎ部ＣＮ３は、平面視において、駆動電極Ｔｘ１０が設けられた領域の内部で、本体部ＢＤ１、ＢＤ２、ＢＤ３を繋ぐように形成されている。繋ぎ部ＣＮ１〜ＣＮ３のそれぞれは、繋ぎ部ＣＮ１〜ＣＮ３のそれぞれが形成されていない場合に比べ、検出電極Ｒｘの面積を拡張する拡張部である。
【０１１１】
複数の張出部ＯＨ１のそれぞれは、平面視において、駆動電極Ｔｘ２〜Ｔｘ９のそれぞれが設けられた領域の内部で、本体部ＢＤ１からＸ軸方向の負の方向に張り出し、本体部ＢＤ３からＸ軸方向の正の方向に張り出すように、形成されている。張出部ＯＨ１は、張出部ＯＨ１が形成されていない場合に比べ、検出電極Ｒｘの面積を拡張する拡張部である。
【０１１２】
また、好適には、複数の繋ぎ部ＣＮ１のそれぞれの面積同士は、互いに等しく、複数の張出部ＯＨ１のそれぞれの面積同士は、互いに等しい。これにより、繋ぎ部ＣＮ１および張出部ＯＨ１の形状が周期性を有し、目立たなくなるため、表示装置ＬＣＤ１の視認性を向上させることができ、また、駆動電極Ｔｘ２〜Ｔｘ９のそれぞれと検出電極Ｒｘとの間の静電容量を、互いに等しくすることができる。
【０１１３】
張出部ＯＨ２は、平面視において、駆動電極Ｔｘ１が設けられた領域の内部で、本体部ＢＤ１からＸ軸方向の負の方向に張り出し、本体部ＢＤ３からＸ軸方向の正の方向に張り出すように、形成されている。張出部ＯＨ２は、張出部ＯＨ２が形成されていない場合に比べ、検出電極Ｒｘの面積を拡張する拡張部である。
【０１１４】
また、好適には、繋ぎ部ＣＮ２の面積は、繋ぎ部ＣＮ１の面積と等しく、張出部ＯＨ２の面積は、張出部ＯＨ１の面積と等しい。これにより、繋ぎ部ＣＮ２の形状を繋ぎ部ＣＮ１の形状と同一とし、張出部ＯＨ２の形状を張出部ＯＨ１の形状と同一とすることができ、繋ぎ部ＣＮ２および張出部ＯＨ２が目立たなくなるため、表示装置ＬＣＤ１の視認性を向上させることができる。
【０１１５】
張出部ＯＨ３は、平面視において、駆動電極Ｔｘ１０が設けられた領域の内部で、本体部ＢＤ１からＸ軸方向の負の方向に張り出し、本体部ＢＤ３からＸ軸方向の正の方向に張り出すように、形成されている。張出部ＯＨ３は、張出部ＯＨ３が形成されていない場合に比べ、検出電極Ｒｘの面積を拡張する拡張部である。
【０１１６】
また、好適には、繋ぎ部ＣＮ３の面積は、繋ぎ部ＣＮ１の面積と等しく、張出部ＯＨ３の面積は、張出部ＯＨ１の面積と等しい。これにより、繋ぎ部ＣＮ３の形状を繋ぎ部ＣＮ１の形状と同一とし、張出部ＯＨ３の形状を張出部ＯＨ１の形状と同一とすることができ、繋ぎ部ＣＮ３および張出部ＯＨ３が目立たなくなるため、表示装置ＬＣＤ１の視認性を向上させることができる。
【０１１７】
繋ぎ部ＣＮ４は、平面視において、駆動電極Ｔｘ１を挟んで複数の駆動電極Ｔｘ２〜Ｔｘ９と反対側すなわち駆動電極Ｔｘ１に対してＹ軸方向の正の方向側で、本体部ＢＤ１、ＢＤ２、ＢＤ３を繋ぐように形成されている。繋ぎ部ＣＮ４は、繋ぎ部ＣＮ４が形成されていない場合に比べ、検出電極Ｒｘの面積を拡張する拡張部である。
【０１１８】
張出部ＯＨ４は、平面視において、駆動電極Ｔｘ１を挟んで複数の駆動電極Ｔｘ２〜Ｔｘ９と反対側すなわち駆動電極Ｔｘ１に対してＹ軸方向の正の方向側で、本体部ＢＤ１からＸ軸方向の負の方向に張り出し、本体部ＢＤ３からＸ軸方向の正の方向に張り出すように、形成されている。張出部ＯＨ４は、張出部ＯＨ４が形成されていない場合に比べ、検出電極Ｒｘの面積を拡張する拡張部である。
【０１１９】
繋ぎ部ＣＮ５は、平面視において、駆動電極Ｔｘ１０を挟んで複数の駆動電極Ｔｘ２〜Ｔｘ９と反対側すなわち駆動電極Ｔｘ１０に対してＹ軸方向の負の方向側で、本体部ＢＤ１、ＢＤ２、ＢＤ３を繋ぐように形成されている。繋ぎ部ＣＮ５は、繋ぎ部ＣＮ５が形成されていない場合に比べ、検出電極Ｒｘの面積を拡張する拡張部である。
【０１２０】
張出部ＯＨ５は、平面視において、駆動電極Ｔｘ１０を挟んで複数の駆動電極Ｔｘ２〜Ｔｘ９と反対側すなわち駆動電極Ｔｘ１０に対してＹ軸方向の負の方向側で、本体部ＢＤ１からＸ軸方向の負の方向に張り出し、本体部ＢＤ３からＸ軸方向の正の方向に張り出すように、形成されている。張出部ＯＨ５は、張出部ＯＨ５が形成されていない場合に比べ、検出電極Ｒｘの面積を拡張する拡張部である。
【０１２１】
本第４変形例では、繋ぎ部ＣＮ４および張出部ＯＨ４が形成されることで、実施の形態１と同様に、駆動電極Ｔｘ１と検出電極Ｒｘとの間の静電容量が、駆動電極Ｔｘ２〜Ｔｘ９のそれぞれと検出電極Ｒｘとの間の静電容量に近づくように、調整することができる。また、繋ぎ部ＣＮ５および張出部ＯＨ５が形成されることで、実施の形態１と同様に、駆動電極Ｔｘ１０と検出電極Ｒｘとの間の静電容量が、駆動電極Ｔｘ２〜Ｔｘ９のそれぞれと検出電極Ｒｘとの間の静電容量に近づくように、調整することができる。
【０１２２】
＜駆動電極および検出電極の配置の第５変形例＞
図１２は、実施の形態１の表示装置に備えられたタッチパネルにおける駆動電極および検出電極の配置の第５変形例を模式的に示す平面図である。図１２は、複数の検出電極のそれぞれが複数の本体部を有する例について示す。なお、図１２では、基板１２、表示領域ＥＡ１、検出領域ＥＡ２および領域ＯＥＡ（図７参照）の図示を省略する。また、第５変形例におけるタッチパネルのうち、検出電極Ｒｘ１〜Ｒｘ１０すなわち検出電極Ｒｘ以外の部分は、実施の形態１におけるタッチパネルＴＰ１の各部分と同一である。したがって、図１２に示すタッチパネルのうち、検出電極Ｒｘ以外の部分であって、図７に示すタッチパネルＴＰ１の部材と同一の機能を有する部材には、同一の符号を付し、その繰り返しの説明は省略する。
【０１２３】
図１２に示す第５変形例では、検出電極Ｒｘは、２本の本体部ＢＤ１、ＢＤ２および繋ぎ部ＣＮ４、ＣＮ５を含む。
【０１２４】
２本の本体部ＢＤ１、ＢＤ２は、Ｙ軸方向にそれぞれ延在し、かつ、Ｘ軸方向に配列されている。２本の本体部ＢＤ１、ＢＤ２は、Ｙ軸方向の負の方向側で１本にまとめられており、Ｙ軸方向の負の方向側で互いに電気的に接続されている。なお、検出電極Ｒｘが２本の本体部ＢＤ１、ＢＤ２を含む場合には限定されず、３本以上の本体部を含んでもよい。
【０１２５】
繋ぎ部ＣＮ４は、平面視において、駆動電極Ｔｘ１を挟んで複数の駆動電極Ｔｘ２〜Ｔｘ９と反対側すなわち駆動電極Ｔｘ１に対してＹ軸方向の正の方向側で、本体部ＢＤ１、ＢＤ２を繋ぐように形成されている。繋ぎ部ＣＮ４は、繋ぎ部ＣＮ４が形成されていない場合に比べ、検出電極Ｒｘの面積を拡張する拡張部である。
【０１２６】
繋ぎ部ＣＮ５は、平面視において、駆動電極Ｔｘ１０を挟んで複数の駆動電極Ｔｘ２〜Ｔｘ９と反対側すなわち駆動電極Ｔｘ１０に対してＹ軸方向の負の方向側で、本体部ＢＤ１、ＢＤ２を繋ぐように形成されている。繋ぎ部ＣＮ５は、繋ぎ部ＣＮ５が形成されていない場合に比べ、検出電極Ｒｘの面積を拡張する拡張部である。
【０１２７】
一方、図１２に示すように、平面視において、駆動電極Ｔｘ１〜Ｔｘ１０のそれぞれが設けられた領域の内部では、検出電極Ｒｘの面積を拡張する拡張部としての繋ぎ部または張出部が形成されないようにすることができる。また、平面視において、駆動電極Ｔｘ１を挟んで複数の駆動電極Ｔｘ２〜Ｔｘ９と反対側で、本体部ＢＤ１からＸ軸方向の負の方向に張り出し、本体部ＢＤ２からＸ軸方向の正の方向に張り出す張出部が形成されないようにすることができる。さらに、平面視において、駆動電極Ｔｘ１０を挟んで複数の駆動電極Ｔｘ２〜Ｔｘ９と反対側で、本体部ＢＤ１からＸ軸方向の負の方向に張り出し、本体部ＢＤ２からＸ軸方向の正の方向に張り出す張出部が形成されないようにすることができる。
【０１２８】
本第５変形例では、繋ぎ部ＣＮ４、ＣＮ５が形成されることで、実施の形態１と同様に、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量に近づくように、調整することができる。
【０１２９】
＜駆動電極と検出電極との間の静電容量について＞
次に、比較例１を参照し、駆動電極と検出電極との間の静電容量について説明する。図１３は、比較例１の表示装置に備えられたタッチパネルにおける駆動電極および検出電極の配置を模式的に示す平面図である。
【０１３０】
比較例１では、検出電極Ｒｘは、本体部ＢＤおよび張出部ＯＨ１〜ＯＨ３を含むが、張出部ＯＨ４、ＯＨ５を含まないものとする。本体部ＢＤは、Ｙ軸方向に延在しており、本体部ＢＤのＸ軸方向の幅をＷＢとする。
【０１３１】
図１４は、比較例１において、複数の駆動電極のそれぞれに駆動電圧を印加したときに検出される検出容量を示すグラフである。図１４では、横軸は、駆動電圧が印加される駆動電極を表し、縦軸は、検出容量を表している。また、図１４では、ＡＤＣにより検出可能な検出容量の範囲すなわちＡＤＣレンジの下限値ＬＬ１および上限値ＵＬ１を示している。さらに、図１４に示す検出容量は、駆動電極Ｔｘ１〜Ｔｘ１０のそれぞれと検出電極Ｒｘとの間の静電容量に等しい。
【０１３２】
なお、図１３に示す比較例１のタッチパネルＴＰ１００のうち、検出電極Ｒｘ１〜Ｒｘ１０すなわち検出電極Ｒｘ以外の各部分については、図７に示す実施の形態１のタッチパネルＴＰ１のうち、検出電極Ｒｘ以外の各部分と同一である。また、比較例１のタッチパネルＴＰ１００を備えた表示装置のうち、タッチパネルＴＰ１００以外の各部分についても、図６に示す表示装置ＬＣＤ１のうち、タッチパネルＴＰ１以外の各部分と同一である。
【０１３３】
つまり、比較例１でも、実施の形態１と同様に、駆動電極Ｔｘ１の幅ＷＤ２は、駆動電極Ｔｘ２〜Ｔｘ９のそれぞれの幅ＷＤ１よりも小さく、駆動電極Ｔｘ１０の幅ＷＤ３は、駆動電極Ｔｘ２〜Ｔｘ９のそれぞれの幅ＷＤ１よりも小さい。
【０１３４】
また、比較例１における検出電極Ｒｘの各部分は、張出部ＯＨ４、ＯＨ５を含まない点を除き、実施の形態１における検出電極Ｒｘの各部分と同一である。すなわち、比較例１における複数の張出部ＯＨ１のそれぞれは、実施の形態１における複数の張出部ＯＨ１のそれぞれと同一である。また、比較例１における張出部ＯＨ２は、実施の形態１における張出部ＯＨ２と同一である。さらに、比較例１における張出部ＯＨ３は、実施の形態１における張出部ＯＨ３と同一である。
【０１３５】
なお、図１３では、駆動電極Ｔｘ２が設けられた領域の内部で形成された張出部ＯＨ１、および、張出部ＯＨ２、ＯＨ３にハッチングを付している。
【０１３６】
比較例１でも、実施の形態１と同様に、駆動電極Ｔｘ１の幅ＷＤ２は駆動電極Ｔｘ２〜Ｔｘ９のそれぞれの幅ＷＤ１よりも小さい。そのため、検出電極Ｒｘのうち駆動電極Ｔｘ１と重なる部分の面積Ｓ２は、検出電極Ｒｘのうち駆動電極Ｔｘ２〜Ｔｘ９のそれぞれと重なる部分の面積Ｓ１よりも小さくなる。また、比較例１でも、実施の形態１と同様に、駆動電極Ｔｘ１０の幅ＷＤ３は駆動電極Ｔｘ２〜Ｔｘ９のそれぞれの幅ＷＤ１よりも小さい。そのため、検出電極Ｒｘのうち駆動電極Ｔｘ１０と重なる部分の面積Ｓ３は、検出電極Ｒｘのうち駆動電極Ｔｘ２〜Ｔｘ９のそれぞれと重なる部分の面積Ｓ１よりも小さくなる。したがって、駆動電極Ｔｘ１、Ｔｘ１０のそれぞれと検出電極Ｒｘとの間の静電容量は、駆動電極Ｔｘ２〜Ｔｘ９のそれぞれと検出電極Ｒｘとの間の静電容量よりも小さくなる。
【０１３７】
比較例１のタッチパネルＴＰ１００では、図１４に示すように、駆動電極Ｔｘ２〜Ｔｘ９のそれぞれに駆動電圧を印加したときに検出される静電容量すなわち検出容量は、一定値ＣＳＴ１となる。
【０１３８】
しかし、比較例１のタッチパネルＴＰ１００では、駆動電極Ｔｘ１、Ｔｘ１０のそれぞれに駆動電圧を印加したときに検出される静電容量すなわち検出容量は、一定値ＣＳＴ１よりも小さくなる。検出容量が一定値ＣＳＴ１よりも小さくなると、検出容量がＡＤＣレンジの下限値ＬＬ１に近づくか、下限値ＬＬ１よりも小さくなるおそれがある。つまり、駆動電極Ｔｘ１、Ｔｘ１０のそれぞれに駆動電圧を印加したときに検出される検出容量の、ＡＤＣレンジの下限値ＬＬ１に対する差、すなわち裕度が小さくなり、検出容量のノイズに対する耐性すなわちノイズ耐性が低下する。その結果、比較例１のタッチパネルＴＰ１００では、駆動電極Ｔｘ１、Ｔｘ１０上において、駆動電極Ｔｘ２〜Ｔｘ９上に比べ、位置検出精度が低下するか、位置検出感度が低下するおそれがある。
【０１３９】
＜本実施の形態の主要な特徴と効果＞
本実施の形態１およびその第１変形例〜第５変形例では、検出電極Ｒｘは、駆動電極Ｔｘ１または駆動電極Ｔｘ１０を挟んで複数の駆動電極Ｔｘ２〜Ｔｘ９と反対側に配置され、検出電極Ｒｘの面積を拡張する拡張部として、例えば張出部ＯＨ４、ＯＨ５または繋ぎ部ＣＮ４、ＣＮ５を含む。以下、張出部ＯＨ４、ＯＨ５または繋ぎ部ＣＮ４、ＣＮ５を代表して、張出部ＯＨ４、ＯＨ５について説明するが、張出部ＯＨ４、ＯＨ５は、平面視において、検出電極Ｒｘのうち駆動電極Ｔｘ１、Ｔｘ１０のそれぞれと重なる部分の面積を増やすことはできない。
【０１４０】
しかし、張出部ＯＨ４、ＯＨ５のそれぞれは、平面視において、駆動電極Ｔｘ１付近または駆動電極Ｔｘ１０付近に配置されるため、駆動電極Ｔｘ１、Ｔｘ１０のそれぞれと検出電極Ｒｘとの間の静電容量を増加させることができる。そのため、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量よりも小さくなることを防止または抑制することができる。
【０１４１】
図１５は、実施の形態１の実施例としての実施例１および実施例２において、複数の駆動電極のそれぞれに駆動電圧を印加したときに検出される検出容量を示すグラフである。図１５では、図１４と同様に、横軸は、駆動電圧が印加される駆動電極を表し、縦軸は、検出容量を表している。また、図１５では、図１４と同様に、ＡＤＣにより検出可能な検出容量の範囲すなわちＡＤＣレンジの下限値ＬＬ１および上限値ＵＬ１を示している。さらに、図１５に示す検出容量は、図１４に示す検出容量と同様に、駆動電極Ｔｘ１〜Ｔｘ１０のそれぞれと検出電極Ｒｘとの間の静電容量に等しい。
【０１４２】
図１５に示すように、実施例１および実施例２においても、駆動電極Ｔｘ２〜Ｔｘ９のそれぞれに駆動電圧を印加したときに検出される静電容量すなわち検出容量は、一定値ＣＳＴ１であるものとする。
【０１４３】
このとき、好適には、駆動電極Ｔｘ１、Ｔｘ１０のそれぞれに駆動電圧を印加したときに検出される静電容量すなわち検出容量が、一定値ＣＳＴ１に対して±１０％以内の範囲に含まれるように、張出部ＯＨ４、ＯＨ５のそれぞれの面積を調整する。検出電極Ｒｘが、このように調整された張出部ＯＨ４、ＯＨ５を含む場合を、図１５に示す実施例１とする。
【０１４４】
図１５に示す実施例１では、図１４に示す比較例１に比べ、駆動電極Ｔｘ１、Ｔｘ１０のそれぞれに駆動電圧を印加したときに検出される検出容量の、ＡＤＣレンジの下限値ＬＬ１に対する差、すなわち裕度が小さくなることを抑制することができる。そして、駆動電極Ｔｘ１、Ｔｘ１０のそれぞれに駆動電圧を印加したときに検出される検出容量のノイズ耐性が低下することを抑制することができる。その結果、駆動電極Ｔｘ１、Ｔｘ１０上において、駆動電極Ｔｘ２〜Ｔｘ９上に比べ、位置検出精度が低下することを防止または抑制し、位置検出感度が低下することを防止または抑制することができる。したがって、表示装置における位置検出性能を向上させることができる。
【０１４５】
さらに、好適には、駆動電極Ｔｘ１、Ｔｘ１０のそれぞれに駆動電圧を印加したときに検出される検出容量が、一定値ＣＳＴ１に等しくなるように、張出部ＯＨ４、ＯＨ５の面積を調整する。検出電極Ｒｘが、このように調整された張出部ＯＨ４、ＯＨ５を含む場合を、図１５に示す実施例２とする。
【０１４６】
図１５に示す実施例２では、図１４に示す比較例１に比べ、駆動電極Ｔｘ１、Ｔｘ１０のそれぞれに駆動電圧を印加したときに検出される検出容量の、ＡＤＣレンジの下限値ＬＬ１に対する裕度が小さくなることをさらに確実に抑制することができる。そして、駆動電極Ｔｘ１、Ｔｘ１０のそれぞれに駆動電圧を印加したときに検出される検出容量のノイズ耐性が低下することをさらに確実に抑制することができる。その結果、駆動電極Ｔｘ１、Ｔｘ１０上において、駆動電極Ｔｘ２〜Ｔｘ９上に比べ、位置検出精度が低下することをさらに確実に防止または抑制し、位置検出感度が低下することをさらに確実に防止または抑制することができる。したがって、表示装置における位置検出性能を向上させることができる。
【０１４７】
（実施の形態２）
実施の形態１では、他の駆動電極の幅よりも小さい幅を有する駆動電極と検出電極との間の静電容量を調整するために、検出電極の面積を拡張する拡張部が、平面視において、表示領域の外側に設けられていた。それに対して、実施の形態２では、他の駆動電極の幅よりも小さい幅を有する駆動電極と検出電極との間の静電容量を調整するために、検出電極の面積を拡張する拡張部が、平面視において、その小さい幅を有する駆動電極上に設けられている。
【０１４８】
本実施の形態２の表示装置のうち、タッチパネルＴＰ２以外の各部分については、実施の形態１の表示装置のうち、タッチパネルＴＰ１以外の各部分と同一であるため、その説明を省略する。
【０１４９】
＜駆動電極および検出電極の配置＞
図１６は、実施の形態２の表示装置に備えられたタッチパネルにおける駆動電極および検出電極の配置を模式的に示す平面図である。
【０１５０】
なお、本実施の形態２におけるタッチパネルＴＰ２のうち、検出電極Ｒｘ１〜Ｒｘ１０すなわち検出電極Ｒｘ以外の各部分については、実施の形態１におけるタッチパネルＴＰ１の各部分と同一である。したがって、図１６に示すタッチパネルＴＰ２のうち、検出電極Ｒｘ以外の各部分であって、図７に示すタッチパネルＴＰ１の部材と同一の機能を有する部材には、同一の符号を付し、その繰り返しの説明は省略する。
【０１５１】
本実施の形態２では、実施の形態１と同様に、駆動電極Ｔｘ２〜Ｔｘ９のそれぞれの幅ＷＤ１同士は、互いに等しい。また、駆動電極Ｔｘ１の幅ＷＤ２は、駆動電極Ｔｘ２〜Ｔｘ９のそれぞれの幅ＷＤ１よりも小さく、駆動電極Ｔｘ１０の幅ＷＤ３は、駆動電極Ｔｘ２〜Ｔｘ９のそれぞれの幅ＷＤ１よりも小さい。
【０１５２】
本実施の形態２では、実施の形態１と同様に、駆動電極Ｔｘ２〜Ｔｘ９のそれぞれと検出電極Ｒｘとの交差部をＣＲ１とし、駆動電極Ｔｘ１と検出電極Ｒｘとの交差部をＣＲ２とし、駆動電極Ｔｘ１０と検出電極Ｒｘとの交差部をＣＲ３とする。また、駆動電極Ｔｘ２〜Ｔｘ９のそれぞれと検出電極Ｒｘとの間の静電容量、すなわち、交差部ＣＲ１に形成される静電容量をＣＰ１とする。さらに、駆動電極Ｔｘ１と検出電極Ｒｘとの間の静電容量、すなわち、交差部ＣＲ２に形成される静電容量をＣＰ２とし、駆動電極Ｔｘ１０と検出電極Ｒｘとの間の静電容量、すなわち、交差部ＣＲ３に形成される静電容量をＣＰ３とする。このとき、静電容量ＣＰ１、ＣＰ２、ＣＰ３に基づいて、入力位置が検出される。
【０１５３】
検出電極Ｒｘは、本体部ＢＤ、ならびに、複数の張出部ＯＨ１および張出部ＯＨ２、ＯＨ３を含む。本体部ＢＤは、Ｙ軸方向に延在しており、本体部ＢＤのＸ軸方向の幅をＷＢとする。なお、図１６では、駆動電極Ｔｘ２が設けられた領域の内部で形成された張出部ＯＨ１、および、張出部ＯＨ２、ＯＨ３にハッチングを付している。
【０１５４】
本実施の形態２における複数の張出部ＯＨ１のそれぞれは、実施の形態１における複数の張出部ＯＨ１のそれぞれと同一とすることができる。
【０１５５】
張出部ＯＨ２は、平面視において、駆動電極Ｔｘ１が設けられた領域の内部で、すなわち、交差部ＣＲ２で、本体部ＢＤからＸ軸方向の正の方向および負の方向にそれぞれ張り出すように、形成されている。張出部ＯＨ２は、張出部ＯＨ２が形成されていない場合に比べ、検出電極Ｒｘの面積を拡張する拡張部である。
【０１５６】
張出部ＯＨ３は、平面視において、駆動電極Ｔｘ１０が設けられた領域の内部で、すなわち、交差部ＣＲ３で、本体部ＢＤからＸ軸方向の正の方向および負の方向にそれぞれ張り出すように、形成されている。張出部ＯＨ３は、張出部ＯＨ３が形成されていない場合に比べ、検出電極Ｒｘの面積を拡張する拡張部である。
【０１５７】
本実施の形態２でも、実施の形態１と同様に、検出電極Ｒｘのうち駆動電極Ｔｘ２〜Ｔｘ９のそれぞれと重なる部分の面積をＳ１とし、検出電極Ｒｘのうち駆動電極Ｔｘ１と重なる部分の面積をＳ２とし、検出電極Ｒｘのうち駆動電極Ｔｘ１０と重なる部分の面積をＳ３とする。このとき、面積Ｓ２が、面積Ｓ１に近づくように、張出部ＯＨ２の面積が調整され、面積Ｓ３が、面積Ｓ１に近づくように、張出部ＯＨ３の面積が調整されている。また、好適には、面積Ｓ２が面積Ｓ１と等しくなるように、張出部ＯＨ２の面積が調整され、面積Ｓ３が面積Ｓ１と等しくなるように、張出部ＯＨ３の面積が調整されている。
【０１５８】
なお、「面積Ｓ２が、面積Ｓ１に近づく」とは、面積Ｓ１に対する面積Ｓ２の比率が１に近づくことを意味し、好適には、例えば、面積Ｓ１に対する面積Ｓ２の比率が０．９〜１．１になることを意味する。また、「面積Ｓ３が、面積Ｓ１に近づく」とは、面積Ｓ１に対する面積Ｓ３の比率が１に近づくことを意味し、好適には、例えば、面積Ｓ１に対する面積Ｓ３の比率が０．９〜１．１になることを意味する。すなわち、「第２の面積が、第１の面積に近づく」とは、第１の面積に対する第２の面積の比率が１に近づくことを意味し、好適には、例えば、第１の面積に対する第２の面積の比率が０．９〜１．１になることを意味する（本実施の形態２の変形例においても同様）。
【０１５９】
本実施の形態２でも、実施の形態１と同様に、張出部ＯＨ１のＸ軸方向の長さをＬＮ１とし、張出部ＯＨ１のＹ軸方向の幅をＷＲ１とする。また、張出部ＯＨ２のＸ軸方向の長さをＬＮ２とし、張出部ＯＨ２のＹ軸方向の幅をＷＲ２とする。さらに、張出部ＯＨ３のＸ軸方向の長さをＬＮ３とし、張出部ＯＨ３のＹ軸方向の幅をＷＲ３とする。
【０１６０】
本実施の形態２でも、実施の形態１と同様に、例えば張出部ＯＨ１の長さＬＮ１、張出部ＯＨ２の長さＬＮ２および張出部ＯＨ３の長さＬＮ３は、互いに等しいものとする。このとき、張出部ＯＨ２の幅ＷＲ２は、張出部ＯＨ１の幅ＷＲ１より大きくなるように、調整されており、張出部ＯＨ３の幅ＷＲ３は、張出部ＯＨ１の幅ＷＲ１より大きくなるように、調整されている。つまり、長さＬＮ２と幅ＷＲ２との積である張出部ＯＨ２の面積ＳＯ２は、長さＬＮ１と幅ＷＲ１との積である張出部ＯＨ１の面積ＳＯ１よりも大きくなるように、調整されている。そして、長さＬＮ３と幅ＷＲ３との積である張出部ＯＨ３の面積ＳＯ３は、長さＬＮ１と幅ＷＲ１との積である張出部ＯＨ１の面積ＳＯ１よりも大きくなるように、調整されている。
【０１６１】
また、本体部ＢＤのうち駆動電極Ｔｘ２〜Ｔｘ９のそれぞれと重なる部分の面積ＳＢ１は、幅ＷＢと幅ＷＤ１との積で表される。そして、本体部ＢＤのうち駆動電極Ｔｘ１と重なる部分の面積ＳＢ２は、幅ＷＢと幅ＷＤ２との積で表され、本体部ＢＤのうち駆動電極Ｔｘ１０と重なる部分の面積ＳＢ３は、幅ＷＢと幅ＷＤ３との積で表される。したがって、検出電極Ｒｘのうち駆動電極Ｔｘ２〜Ｔｘ９のそれぞれと重なる部分の面積Ｓ１は、上記式（１）で表される。そして、検出電極Ｒｘのうち駆動電極Ｔｘ１と重なる部分の面積Ｓ２は、上記式（２）で表され、検出電極Ｒｘのうち駆動電極Ｔｘ１０と重なる部分の面積Ｓ３は、上記式（３）で表される。
【０１６２】
前述したように、幅ＷＤ２は幅ＷＤ１よりも小さく、幅ＷＤ３は幅ＷＤ１よりも小さいため、面積ＳＢ２は面積ＳＢ１よりも小さく、面積ＳＢ３は面積ＳＢ１よりも小さい。したがって、張出部ＯＨ２の面積ＳＯ２が張出部ＯＨ１の面積ＳＯ１と等しいときは、面積Ｓ２が面積Ｓ１よりも小さくなり、駆動電極Ｔｘ１と検出電極Ｒｘとの間の静電容量は、駆動電極Ｔｘ２〜Ｔｘ９のそれぞれと検出電極Ｒｘとの間の静電容量よりも小さくなる。また、張出部ＯＨ３の面積ＳＯ３が張出部ＯＨ１の面積ＳＯ１と等しいときは、面積Ｓ３が面積Ｓ１よりも小さくなり、駆動電極Ｔｘ１０と検出電極Ｒｘとの間の静電容量は、駆動電極Ｔｘ２〜Ｔｘ９のそれぞれと検出電極Ｒｘとの間の静電容量よりも小さくなる。
【０１６３】
しかし、本実施の形態２では、例えば幅ＷＲ２が幅ＷＲ１よりも大きいことにより、張出部ＯＨ２の面積ＳＯ２が張出部ＯＨ１の面積ＳＯ１よりも大きくなるように、調整されている。そして、検出電極Ｒｘのうち駆動電極Ｔｘ１と重なる部分の面積Ｓ２が検出電極Ｒｘのうち駆動電極Ｔｘ２〜Ｔｘ９のそれぞれと重なる部分の面積Ｓ１に近づくように、調整されている。したがって、駆動電極Ｔｘ１と検出電極Ｒｘとの間の静電容量が、駆動電極Ｔｘ２〜Ｔｘ９のそれぞれと検出電極Ｒｘとの間の静電容量に近づくように、調整することができる。
【０１６４】
また、本実施の形態２では、例えば幅ＷＲ３が幅ＷＲ１よりも大きいことにより、張出部ＯＨ３の面積ＳＯ３が張出部ＯＨ１の面積ＳＯ１よりも大きくなるように、調整されている。そして、検出電極Ｒｘのうち駆動電極Ｔｘ１０と重なる部分の面積Ｓ３が検出電極Ｒｘのうち駆動電極Ｔｘ２〜Ｔｘ９のそれぞれと重なる部分の面積Ｓ１に近づくように、調整されている。したがって、駆動電極Ｔｘ１０と検出電極Ｒｘとの間の静電容量が、駆動電極Ｔｘ２〜Ｔｘ９のそれぞれと検出電極Ｒｘとの間の静電容量に近づくように、調整することができる。
【０１６５】
つまり、本実施の形態２では、平面視において、検出電極のうち、他の駆動電極の幅よりも小さい幅を有する駆動電極と重なる部分の面積が、検出電極のうち、他の駆動電極と重なる部分の面積に近づくように、調整されている。
【０１６６】
また、本実施の形態２では、他の駆動電極の幅よりも小さい幅を有する駆動電極が、他の駆動電極の配列の両側に配置されている場合に、その小さい幅を有する駆動電極と検出電極との間の静電容量が、他の駆動電極と検出電極との間の静電容量に近づくように、調整することができる。
【０１６７】
さらに、本実施の形態２では、他の駆動電極の幅よりも小さい幅を有する駆動電極と検出電極との間の静電容量を調整するために、検出電極の面積を拡張する拡張部が、平面視において、表示領域の内部に設けられている。
【０１６８】
＜駆動電極および検出電極の配置の第１変形例＞
図１７は、実施の形態２の表示装置に備えられたタッチパネルにおける駆動電極および検出電極の配置の第１変形例を模式的に示す平面図である。図１７は、駆動電極Ｔｘ１の幅は、駆動電極Ｔｘ２〜Ｔｘ９のそれぞれの幅よりも小さいが、駆動電極Ｔｘ１０の幅は、駆動電極Ｔｘ２〜Ｔｘ９のそれぞれの幅と等しい例について示す。なお、図１７に示すタッチパネルＴＰ２のうち、図１６に示すタッチパネルＴＰ２の部材と同一の機能を有する部材には、同一の符号を付し、その繰り返しの説明は省略する。
【０１６９】
本第１変形例では、駆動電極Ｔｘ２〜Ｔｘ１０のそれぞれの幅ＷＤ１同士は、互いに等しく、駆動電極Ｔｘ１の幅ＷＤ２は、駆動電極Ｔｘ２〜Ｔｘ１０のそれぞれの幅ＷＤ１よりも小さい。
【０１７０】
検出電極Ｒｘは、本体部ＢＤおよび複数の張出部ＯＨ１および張出部ＯＨ２を含むが、張出部ＯＨ３（図１６参照）を含まない。すなわち、駆動電極Ｔｘ１０が設けられた領域の内部でも、張出部ＯＨ１が形成されている。
【０１７１】
本第１変形例における複数の張出部ＯＨ１のそれぞれは、実施の形態２における複数の張出部ＯＨ１のそれぞれと同一とすることができる。また、本第１変形例における張出部ＯＨ２は、実施の形態２における張出部ＯＨ２と同一とすることができる。
【０１７２】
本第１変形例では、実施の形態２と同様に、張出部ＯＨ２の面積が張出部ＯＨ１の面積よりも大きくなるように、調整され、検出電極Ｒｘのうち駆動電極Ｔｘ１と重なる部分の面積が検出電極Ｒｘのうち駆動電極Ｔｘ２〜Ｔｘ１０のそれぞれと重なる部分の面積に近づくように、調整されている。したがって、駆動電極Ｔｘ１と検出電極Ｒｘとの間の静電容量が、駆動電極Ｔｘ２〜Ｔｘ１０のそれぞれと検出電極Ｒｘとの間の静電容量に近づくように、調整することができる。
【０１７３】
つまり、他の駆動電極の幅よりも小さい幅を有する駆動電極が、他の駆動電極の配列の一方の外側のみに配置されている場合でも、その小さい幅を有する駆動電極と検出電極との間の静電容量が、他の駆動電極と検出電極との間の静電容量に近づくように、調整することができる。
【０１７４】
＜駆動電極および検出電極の配置の第２変形例＞
図１８は、実施の形態２の表示装置に備えられたタッチパネルにおける駆動電極および検出電極の配置の第２変形例を模式的に示す平面図である。図１８は、他の駆動電極の幅よりも小さい幅を有する駆動電極が、駆動電極の配列の外側に配置されておらず、駆動電極の配列の途中に配置されている例について示す。なお、図１８に示すタッチパネルＴＰ２のうち、図１６に示すタッチパネルＴＰ２の部材と同一の機能を有する部材には、同一の符号を付し、その繰り返しの説明は省略する。
【０１７５】
本第２変形例では、平面視において、駆動電極Ｔｘ１〜Ｔｘ３、Ｔｘ５〜Ｔｘ１０のそれぞれのＹ軸方向の幅をＷＤ１とし、駆動電極の配列の途中に配置されている駆動電極Ｔｘ４のＹ軸方向の幅をＷＤ２とする。このとき、駆動電極Ｔｘ１〜Ｔｘ３、Ｔｘ５〜Ｔｘ１０のそれぞれの幅ＷＤ１同士は、互いに等しく、駆動電極Ｔｘ４の幅ＷＤ２は、駆動電極Ｔｘ１〜Ｔｘ３、Ｔｘ５〜Ｔｘ１０のそれぞれの幅ＷＤ１よりも小さい。
【０１７６】
例えば表示装置としての要求仕様などにより、Ｙ軸方向の画素数が割り切れずに生じた端数と、Ｙ軸方向における画素電極の配列周期または幅とを乗じて得た幅を有する駆動電極を、駆動電極の配列の外側にではなく、駆動電極の配列の途中に配置することがある。このような場合、駆動電極の配列の途中に配置された駆動電極である例えば駆動電極Ｔｘ４の幅ＷＤ２を、他の駆動電極である駆動電極Ｔｘ１〜Ｔｘ３、Ｔｘ５〜Ｔｘ１０のそれぞれの幅ＷＤ１よりも小さくする。
【０１７７】
なお、幅ＷＤ１については、駆動電極Ｔｘ１〜Ｔｘ３と駆動電極Ｔｘ５〜Ｔｘ１０との間で、異ならせることもできる。また、本第２変形例では、他の駆動電極の幅よりも小さい幅を有する駆動電極が配列の４番目に配置されている例について説明するが、配列の途中であればよく、４番目に限定されない。
【０１７８】
本第２変形例では、駆動電極Ｔｘ１〜Ｔｘ３、Ｔｘ５〜Ｔｘ１０のそれぞれと検出電極Ｒｘとの交差部をＣＲ１とし、駆動電極Ｔｘ４と検出電極Ｒｘとの交差部をＣＲ２とする。また、駆動電極Ｔｘ１〜Ｔｘ３、Ｔｘ５〜Ｔｘ１０のそれぞれと検出電極Ｒｘとの間の静電容量をＣＰ１とし、駆動電極Ｔｘ４と検出電極Ｒｘとの間の静電容量をＣＰ２とする。このとき、静電容量ＣＰ１、ＣＰ２に基づいて、入力位置が検出される。
【０１７９】
本第２変形例における複数の張出部ＯＨ１のそれぞれは、実施の形態２における複数の張出部ＯＨ１のそれぞれと同一とすることができる。また、本第２変形例における張出部ＯＨ２は、実施の形態２における張出部ＯＨ２と同一とすることができる。
【０１８０】
本第２変形例でも、実施の形態２と同様に、張出部ＯＨ２の面積が張出部ＯＨ１の面積よりも大きくなるように、調整されている。そして、検出電極Ｒｘのうち駆動電極Ｔｘ４と重なる部分の面積が検出電極Ｒｘのうち駆動電極Ｔｘ１〜Ｔｘ３、Ｔｘ５〜Ｔｘ１０のそれぞれと重なる部分の面積に近づくように、調整されている。
【０１８１】
＜駆動電極および検出電極の配置の第３変形例および第４変形例＞
図１９は、実施の形態２の表示装置に備えられたタッチパネルにおける駆動電極および検出電極の配置の第３変形例を模式的に示す平面図である。図２０は、実施の形態２の表示装置に備えられたタッチパネルにおける駆動電極および検出電極の配置の第４変形例を模式的に示す平面図である。図１９および図２０は、張出部ＯＨ１〜ＯＨ３が、本体部ＢＤの一方の側に張り出しているが、本体部ＢＤの他方の側には張り出していない例について示す。なお、第３変形例および第４変形例におけるタッチパネルＴＰ２のうち、張出部ＯＨ１〜ＯＨ３以外の各部分については、実施の形態２におけるタッチパネルＴＰ２の各部分と同一である。したがって、図１９および図２０に示すタッチパネルＴＰ２のうち、張出部ＯＨ１〜ＯＨ３以外の各部分であって、図１６に示すタッチパネルＴＰ２の部材と同一の機能を有する部材には、同一の符号を付し、その繰り返しの説明は省略する。
【０１８２】
図１９に示す第３変形例では、複数の張出部ＯＨ１、および張出部ＯＨ２、ＯＨ３は、平面視において、本体部ＢＤからＸ軸方向の正の方向のみに張り出すように形成されており、検出電極Ｒｘは、櫛状の形状を有している。
【０１８３】
また、図２０に示す第４変形例では、複数の張出部ＯＨ１、および張出部ＯＨ２、ＯＨ３は、平面視において、本体部ＢＤからＸ軸方向の正の方向または負の方向に張り出すように形成されており、検出電極Ｒｘは、櫛状の形状を有している。そして、本第４変形例では、張出部ＯＨ１〜ＯＨ３が本体部ＢＤからＸ軸方向の正の方向に張り出している検出電極と、張出部ＯＨ１〜ＯＨ３が本体部ＢＤからＸ軸方向の負の方向に張り出している検出電極とが、Ｘ軸方向に交互に配列されている。
【０１８４】
本第３変形例および本第４変形例のいずれの場合でも、実施の形態２と同様に、張出部ＯＨ２、ＯＨ３の面積が張出部ＯＨ１の面積よりも大きくなるように、調整されている。そして、検出電極Ｒｘのうち駆動電極Ｔｘ１、Ｔｘ１０のそれぞれと重なる部分の面積が検出電極Ｒｘのうち駆動電極Ｔｘ２〜Ｔｘ９のそれぞれと重なる部分の面積に近づくように、調整されている。
【０１８５】
＜駆動電極および検出電極の配置の第５変形例＞
図２１は、実施の形態２の表示装置に備えられたタッチパネルにおける駆動電極および検出電極の配置の第５変形例を模式的に示す平面図である。図２１は、複数の検出電極のそれぞれが複数の本体部を有する例について示す。なお、図２１では、基板１２、表示領域ＥＡ１、検出領域ＥＡ２および領域ＯＥＡ（図１６参照）の図示を省略する。また、第５変形例におけるタッチパネルのうち、検出電極Ｒｘ１〜Ｒｘ１０すなわち検出電極Ｒｘ以外の各部分は、実施の形態２におけるタッチパネルＴＰ２の各部分と同一である。したがって、図２１に示すタッチパネルのうち、検出電極Ｒｘ以外の各部分であって、図１６に示すタッチパネルＴＰ２の部材と同一の機能を有する部材には、同一の符号を付し、その繰り返しの説明は省略する。
【０１８６】
図２１に示す第５変形例では、検出電極Ｒｘは、３本の本体部ＢＤ１、ＢＤ２、ＢＤ３、複数の繋ぎ部ＣＮ１および繋ぎ部ＣＮ２、ＣＮ３、ならびに、複数の張出部ＯＨ１および張出部ＯＨ２、ＯＨ３を含む。
【０１８７】
本第５変形例における３本の本体部ＢＤ１、ＢＤ２、ＢＤ３のそれぞれは、実施の形態１の第４変形例における３本の本体部ＢＤ１、ＢＤ２、ＢＤ３のそれぞれと同一とすることができる。なお、実施の形態１の第４変形例と同様に、検出電極Ｒｘが３本の本体部ＢＤ１、ＢＤ２、ＢＤ３を含む場合には限定されず、２本または４本以上の本体部を含んでもよい。
【０１８８】
本第５変形例における複数の繋ぎ部ＣＮ１のそれぞれは、実施の形態１の第４変形例における複数の繋ぎ部ＣＮ１のそれぞれと同一とすることができる。また、本第５変形例における複数の張出部ＯＨ１のそれぞれは、実施の形態１の第４変形例における複数の張出部ＯＨ１のそれぞれと同一とすることができる。
【０１８９】
繋ぎ部ＣＮ２は、平面視において、駆動電極Ｔｘ１が設けられた領域の内部で、本体部ＢＤ１、ＢＤ２、ＢＤ３を繋ぐように形成されている。繋ぎ部ＣＮ３は、平面視において、駆動電極Ｔｘ１０が設けられた領域の内部で、本体部ＢＤ１、ＢＤ２、ＢＤ３を繋ぐように形成されている。繋ぎ部ＣＮ２、ＣＮ３は、繋ぎ部ＣＮ２、ＣＮ３が形成されていない場合に比べ、検出電極Ｒｘの面積を拡張する拡張部である。
【０１９０】
張出部ＯＨ２は、平面視において、駆動電極Ｔｘ１が設けられた領域の内部で、本体部ＢＤ１からＸ軸方向の負の方向に張り出し、本体部ＢＤ３からＸ軸方向の正の方向に張り出すように、形成されている。張出部ＯＨ２は、張出部ＯＨ２が形成されていない場合に比べ、検出電極Ｒｘの面積を拡張する拡張部である。
【０１９１】
張出部ＯＨ３は、平面視において、駆動電極Ｔｘ１０が設けられた領域の内部で、本体部ＢＤ１からＸ軸方向の負の方向に張り出し、本体部ＢＤ３からＸ軸方向の正の方向に張り出すように、形成されている。張出部ＯＨ３は、張出部ＯＨ３が形成されていない場合に比べ、検出電極Ｒｘの面積を拡張する拡張部である。
【０１９２】
本第５変形例では、繋ぎ部ＣＮ２および張出部ＯＨ２のそれぞれの面積が、繋ぎ部ＣＮ１および張出部ＯＨ１のそれぞれの面積よりも大きくなるように、調整されている。すなわち、実施の形態２と同様に、検出電極Ｒｘのうち駆動電極Ｔｘ１と重なる部分の面積が、検出電極Ｒｘのうち駆動電極Ｔｘ２〜Ｔｘ９のそれぞれと重なる部分の面積に近づくように、調整されている。
【０１９３】
また、本第５変形例では、繋ぎ部ＣＮ３および張出部ＯＨ３のそれぞれの面積が、繋ぎ部ＣＮ１および張出部ＯＨ１のそれぞれの面積よりも大きくなるように、調整されている。すなわち、実施の形態２と同様に、検出電極Ｒｘのうち駆動電極Ｔｘ１０と重なる部分の面積が、検出電極Ｒｘのうち駆動電極Ｔｘ２〜Ｔｘ９のそれぞれと重なる部分の面積に近づくように、調整されている。
【０１９４】
＜駆動電極および検出電極の配置の第６変形例＞
図２２は、実施の形態２の表示装置に備えられたタッチパネルにおける駆動電極および検出電極の配置の第６変形例を模式的に示す平面図である。図２２は、複数の検出電極のそれぞれが複数の本体部を有する例について示す。なお、図２２では、基板１２、表示領域ＥＡ１、検出領域ＥＡ２および領域ＯＥＡ（図１６参照）の図示を省略する。また、第６変形例におけるタッチパネルのうち、検出電極Ｒｘ１〜Ｒｘ１０すなわち検出電極Ｒｘ以外の部分は、実施の形態２におけるタッチパネルＴＰ２の各部分と同一である。したがって、図２２に示すタッチパネルのうち、検出電極Ｒｘ以外の部分であって、図１６に示すタッチパネルＴＰ２の部材と同一の機能を有する部材には、同一の符号を付し、その繰り返しの説明は省略する。
【０１９５】
図２２に示す第６変形例では、検出電極Ｒｘは、２本の本体部ＢＤ１、ＢＤ２および繋ぎ部ＣＮ２、ＣＮ３を含む。
【０１９６】
本第６変形例における２本の本体部ＢＤ１、ＢＤ２のそれぞれは、実施の形態１の第５変形例における２本の本体部ＢＤ１、ＢＤ２のそれぞれと同一とすることができる。なお、実施の形態１の第５変形例と同様に、検出電極Ｒｘが２本の本体部ＢＤ１、ＢＤ２を含む場合には限定されず、３本以上の本体部を含んでもよい。
【０１９７】
繋ぎ部ＣＮ２は、平面視において、駆動電極Ｔｘ１が設けられた領域の内部で、本体部ＢＤ１、ＢＤ２を繋ぐように形成されている。繋ぎ部ＣＮ３は、平面視において、駆動電極Ｔｘ１０が設けられた領域の内部で、本体部ＢＤ１、ＢＤ２を繋ぐように形成されている。繋ぎ部ＣＮ２、ＣＮ３は、繋ぎ部ＣＮ２、ＣＮ３が形成されていない場合に比べ、検出電極Ｒｘの面積を拡張する拡張部である。
【０１９８】
一方、図２２に示すように、平面視において、駆動電極Ｔｘ２〜Ｔｘ９のそれぞれが設けられた領域の内部では、検出電極Ｒｘの面積を拡張する拡張部としての繋ぎ部または張出部が形成されないようにすることができる。
【０１９９】
本第６変形例では、繋ぎ部ＣＮ２、ＣＮ３が形成されることで、実施の形態２と同様に、検出電極Ｒｘのうち駆動電極Ｔｘ１、Ｔｘ１０のそれぞれと重なる部分の面積が、検出電極Ｒｘのうち駆動電極Ｔｘ２〜Ｔｘ９のそれぞれと重なる部分の面積に近づくように、調整されている。
【０２００】
＜駆動電極と検出電極との間の静電容量について＞
次に、実施の形態１と同様に、比較例１を参照し、駆動電極と検出電極との間の静電容量について説明する。図１３を用いて前述したように、比較例１では、検出電極Ｒｘは、本体部ＢＤおよび張出部ＯＨ１〜ＯＨ３を含む。また、比較例１では、実施の形態２と異なり、張出部ＯＨ２の幅ＷＲ２が、張出部ＯＨ１の幅ＷＲ１と等しく、張出部ＯＨ３の幅ＷＲ３が、張出部ＯＨ１の幅ＷＲ１と等しい。
【０２０１】
比較例１でも、実施の形態２と同様に、駆動電極Ｔｘ１の幅ＷＤ２は駆動電極Ｔｘ２〜Ｔｘ９のそれぞれの幅ＷＤ１よりも小さい。そのため、検出電極Ｒｘのうち駆動電極Ｔｘ１と重なる部分の面積Ｓ２は、検出電極Ｒｘのうち駆動電極Ｔｘ２〜Ｔｘ９のそれぞれと重なる部分の面積Ｓ１よりも小さくなる。また、駆動電極Ｔｘ１０の幅ＷＤ３は駆動電極Ｔｘ２〜Ｔｘ９のそれぞれの幅ＷＤ１よりも小さい。そのため、検出電極Ｒｘのうち駆動電極Ｔｘ１０と重なる部分の面積Ｓ３は、検出電極Ｒｘのうち駆動電極Ｔｘ２〜Ｔｘ９のそれぞれと重なる部分の面積Ｓ１よりも小さくなる。したがって、駆動電極Ｔｘ１、Ｔｘ１０のそれぞれと検出電極Ｒｘとの間の静電容量は、駆動電極Ｔｘ２〜Ｔｘ９のそれぞれと検出電極Ｒｘとの間の静電容量よりも小さくなる。
【０２０２】
そのため、比較例１のタッチパネルＴＰ１００では、図１４を用いて前述したように、駆動電極Ｔｘ１、Ｔｘ１０のそれぞれに駆動電圧を印加したときに検出される検出容量の、ＡＤＣレンジの下限値ＬＬ１に対する差、すなわち裕度が小さくなり、検出容量のノイズ耐性が低下する。その結果、比較例１のタッチパネルＴＰ１００では、駆動電極Ｔｘ１、Ｔｘ１０上において、駆動電極Ｔｘ２〜Ｔｘ９上に比べ、位置検出精度が低下するか、位置検出感度が低下するおそれがある。
【０２０３】
＜本実施の形態の主要な特徴と効果＞
本実施の形態２およびその第１変形例〜第６変形例では、検出電極Ｒｘは、平面視において、駆動電極Ｔｘ１、Ｔｘ１０が設けられた領域に配置され、検出電極Ｒｘの面積を拡張する拡張部として、例えば張出部ＯＨ２、ＯＨ３または繋ぎ部ＣＮ２、ＣＮ３を含む。以下、張出部ＯＨ２、ＯＨ３または繋ぎ部ＣＮ２、ＣＮ３を代表して、張出部ＯＨ２、ＯＨ３について説明する。
【０２０４】
張出部ＯＨ２、ＯＨ３のそれぞれの面積が張出部ＯＨ１の面積よりも大きくなるように、調整され、検出電極Ｒｘのうち駆動電極Ｔｘ１、Ｔｘ１０のそれぞれと重なる部分の面積が、検出電極Ｒｘのうち駆動電極Ｔｘ２〜Ｔｘ９のそれぞれと重なる部分の面積に近づくように、調整されている。したがって、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量に近づくように、調整することができる。これにより、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量に比べて小さくなることを防止または抑制することができる。
【０２０５】
前述した図１５は、実施の形態２の実施例としての実施例３および実施例４において、複数の駆動電極のそれぞれに駆動電圧を印加したときに検出される検出容量を示すグラフでもある。図１５に示すように、実施例３および実施例４においても、駆動電極Ｔｘ２〜Ｔｘ９のそれぞれに駆動電圧を印加したときに検出される静電容量すなわち検出容量は、一定値ＣＳＴ１であるものとする。
【０２０６】
このとき、好適には、駆動電極Ｔｘ１、Ｔｘ１０のそれぞれに駆動電圧を印加したときに検出される静電容量すなわち検出容量が、一定値ＣＳＴ１に対して±１０％以内の範囲に含まれるように、張出部ＯＨ２、ＯＨ３のそれぞれの面積を調整する。検出電極Ｒｘが、このように調整された張出部ＯＨ２、ＯＨ３を含む場合を、図１５に示す実施例３とする。
【０２０７】
図１５に示す実施例３では、図１４に示す比較例１に比べ、駆動電極Ｔｘ１、Ｔｘ１０のそれぞれに駆動電圧を印加したときに検出される検出容量の、ＡＤＣレンジの下限値ＬＬ１に対する差、すなわち裕度が小さくなることを抑制することができる。そして、駆動電極Ｔｘ１、Ｔｘ１０のそれぞれに駆動電圧を印加したときに検出される検出容量のノイズ耐性が低下することを抑制することができる。その結果、駆動電極Ｔｘ１、Ｔｘ１０上において、駆動電極Ｔｘ２〜Ｔｘ９上に比べ、位置検出精度が低下することを防止または抑制し、位置検出感度が低下することを防止または抑制することができる。したがって、表示装置における位置検出性能を向上させることができる。
【０２０８】
さらに、好適には、駆動電極Ｔｘ１、Ｔｘ１０のそれぞれに駆動電圧を印加したときに検出される検出容量が、一定値ＣＳＴ１に等しくなるように、張出部ＯＨ２、ＯＨ３のそれぞれの面積を調整する。検出電極Ｒｘが、このように調整された張出部ＯＨ２、ＯＨ３を含む場合を、図１５に示す実施例４とする。
【０２０９】
図１５に示す実施例４では、図１４に示す比較例１に比べ、駆動電極Ｔｘ１、Ｔｘ１０のそれぞれに駆動電圧を印加したときに検出される検出容量の、ＡＤＣレンジの下限値ＬＬ１に対する裕度が小さくなることをさらに確実に抑制することができる。そして、駆動電極Ｔｘ１、Ｔｘ１０のそれぞれに駆動電圧を印加したときに検出される検出容量のノイズ耐性が低下することをさらに確実に抑制することができる。その結果、駆動電極Ｔｘ１、Ｔｘ１０上において、駆動電極Ｔｘ２〜Ｔｘ９上に比べ、位置検出精度が低下することをさらに確実に防止または抑制し、位置検出感度が低下することをさらに確実に防止または抑制することができる。したがって、表示装置における位置検出性能を向上させることができる。
【０２１０】
（実施の形態３）
実施の形態２では、平面視において、検出電極のうち、他の駆動電極の幅よりも小さい幅を有する駆動電極と重なる部分の面積が、検出電極のうち、他の駆動電極と重なる部分の面積よりも大きくなるように、調整されている。それに対して、実施の形態３では、平面視において、検出電極のうち、他の駆動電極の幅よりも大きい幅を有する駆動電極と重なる部分の面積が、検出電極のうち、他の駆動電極と重なる部分の面積よりも小さくなるように、調整されている。
【０２１１】
本実施の形態３の表示装置のうち、タッチパネルＴＰ３以外の各部分については、実施の形態１の表示装置のうち、タッチパネルＴＰ１以外の各部分と同一であるため、その説明を省略する。
【０２１２】
＜駆動電極および検出電極の配置＞
図２３は、実施の形態３の表示装置に備えられたタッチパネルにおける駆動電極および検出電極の配置を模式的に示す平面図である。
【０２１３】
なお、本実施の形態３におけるタッチパネルＴＰ３のうち、検出電極Ｒｘ１〜Ｒｘ１０すなわち検出電極Ｒｘ以外の各部分については、駆動電極Ｔｘ１〜Ｔｘ１０の幅ＷＤ１、ＷＤ２、ＷＤ３を除き、実施の形態１におけるタッチパネルＴＰ１の各部分と同一である。したがって、図２３に示すタッチパネルＴＰ３のうち、検出電極Ｒｘ以外の各部分であって、図７に示すタッチパネルＴＰ１の部材と同一の機能を有する部材には、同一の符号を付し、駆動電極Ｔｘ１〜Ｔｘ１０の幅ＷＤ１、ＷＤ２、ＷＤ３を除き、その繰り返しの説明は省略する。なお、駆動電極Ｔｘ１〜Ｔｘ１０は、Ｘ軸方向に垂直な断面において、表示領域ＥＡ１の内部に配置されている。
【０２１４】
本実施の形態３では、実施の形態１と同様に、駆動電極Ｔｘ２〜Ｔｘ９のそれぞれの幅ＷＤ１同士は、互いに等しい。しかし、本実施の形態３では、実施の形態１とは異なり、駆動電極Ｔｘ１の幅ＷＤ２は、駆動電極Ｔｘ２〜Ｔｘ９のそれぞれの幅ＷＤ１よりも大きく、駆動電極Ｔｘ１０の幅ＷＤ３は、駆動電極Ｔｘ２〜Ｔｘ９のそれぞれの幅ＷＤ１よりも大きい。
【０２１５】
実施の形態１において前述したように、駆動電極Ｔｘ２〜Ｔｘ９のそれぞれの幅ＷＤ１は、画素電極の配列周期または幅の整数倍であるが、Ｙ軸方向の画素数は、表示装置としての要求仕様から決定されるものであるため、Ｙ軸方向の画素数が、駆動電極Ｔｘの１本当たりの画素数で、割り切れないことがある。このような場合に、割り切れずに生じた端数を、駆動電極Ｔｘの配列の例えば両端の駆動電極Ｔｘに分けて割り当て、割り当てられた端数と、Ｙ軸方向における画素電極の配列周期または幅とを乗じて得た幅を、それぞれ駆動電極Ｔｘ１、Ｔｘ１０の幅ＷＤ２、ＷＤ３とすることになる。
【０２１６】
しかし、割り当てられた端数が例えば１または２など、相対的に小さいときは、割り当てられた端数と、Ｙ軸方向における画素電極の配列周期または幅とを乗じて得た幅を、それぞれ駆動電極Ｔｘ１、Ｔｘ１０の幅ＷＤ２、ＷＤ３とすることが、例えば製造工程の観点から困難であることがある。このような場合に、駆動電極Ｔｘの１本当たりの画素数に、割り当てられた端数を加えて得た画素数と、Ｙ軸方向における画素電極の配列周期または幅とを乗じて得た幅を、それぞれ駆動電極Ｔｘ１、Ｔｘ１０の幅ＷＤ２、ＷＤ３とすることになる。このようにして、駆動電極Ｔｘ１、Ｔｘ１０の幅ＷＤ２、ＷＤ３が、駆動電極Ｔｘ２〜Ｔｘ９のそれぞれの幅ＷＤ１よりも大きくなるのである。
【０２１７】
例えば、Ｙ軸方向に１０３個の画素が配置され、１０個の画素ごとに１つの駆動電極Ｔｘを配置する場合を考える。この場合、１０３個の画素を１０個ずつに分けたときの余り３個の画素を１個の画素と２個の画素とに分け、その１個の画素と２個の画素とをそれぞれ１０個の画素に加えて得た画素数分の画素電極の幅を、駆動電極Ｔｘの配列の両端の駆動電極の幅とする。そのため、駆動電極Ｔｘ２〜Ｔｘ９のそれぞれの幅ＷＤ１を例えば１０画素分の幅とし、駆動電極Ｔｘ１の幅ＷＤ２を１１画素分の幅とし、駆動電極Ｔｘ１０の幅ＷＤ３を１２画素分の幅とすることができる。
【０２１８】
本実施の形態３では、実施の形態１と同様に、駆動電極Ｔｘ２〜Ｔｘ９のそれぞれと検出電極Ｒｘとの交差部をＣＲ１とし、駆動電極Ｔｘ１と検出電極Ｒｘとの交差部をＣＲ２とし、駆動電極Ｔｘ１０と検出電極Ｒｘとの交差部をＣＲ３とする。また、駆動電極Ｔｘ２〜Ｔｘ９のそれぞれと検出電極Ｒｘとの間の静電容量、すなわち、交差部ＣＲ１に形成される静電容量をＣＰ１とする。さらに、駆動電極Ｔｘ１と検出電極Ｒｘとの間の静電容量、すなわち、交差部ＣＲ２に形成される静電容量をＣＰ２とし、駆動電極Ｔｘ１０と検出電極Ｒｘとの間の静電容量、すなわち、交差部ＣＲ３に形成される静電容量をＣＰ３とする。このとき、静電容量ＣＰ１、ＣＰ２、ＣＰ３に基づいて、入力位置が検出される。
【０２１９】
検出電極Ｒｘは、本体部ＢＤ、ならびに、複数の張出部ＯＨ１および張出部ＯＨ２、ＯＨ３を含む。本体部ＢＤは、Ｙ軸方向に延在しており、本体部ＢＤのＸ軸方向の幅をＷＢとする。なお、図２３では、駆動電極Ｔｘ２が設けられた領域の内部で形成された張出部ＯＨ１、および、張出部ＯＨ２、ＯＨ３にハッチングを付している。
【０２２０】
本実施の形態３における複数の張出部ＯＨ１のそれぞれは、実施の形態１における複数の張出部ＯＨ１のそれぞれと同一とすることができる。
【０２２１】
張出部ＯＨ２は、平面視において、駆動電極Ｔｘ１が設けられた領域の内部で、すなわち、交差部ＣＲ２で、本体部ＢＤからＸ軸方向の正の方向および負の方向にそれぞれ張り出すように、形成されている。張出部ＯＨ２は、張出部ＯＨ２が形成されていない場合に比べ、検出電極Ｒｘの面積を拡張する拡張部である。
【０２２２】
張出部ＯＨ３は、平面視において、駆動電極Ｔｘ１０が設けられた領域の内部で、すなわち、交差部ＣＲ３で、本体部ＢＤからＸ軸方向の正の方向および負の方向にそれぞれ張り出すように、形成されている。張出部ＯＨ３は、張出部ＯＨ３が形成されていない場合に比べ、検出電極Ｒｘの面積を拡張する拡張部である。
【０２２３】
本実施の形態３でも、実施の形態１と同様に、検出電極Ｒｘのうち駆動電極Ｔｘ２〜Ｔｘ９のそれぞれと重なる部分の面積をＳ１とし、検出電極Ｒｘのうち駆動電極Ｔｘ１と重なる部分の面積をＳ２とし、検出電極Ｒｘのうち駆動電極Ｔｘ１０と重なる部分の面積をＳ３とする。このとき面積Ｓ２が、面積Ｓ１に近づくように、張出部ＯＨ２の面積が調整され、面積Ｓ３が、面積Ｓ１に近づくように、張出部ＯＨ３の面積が調整されている。また、好適には、面積Ｓ２が面積Ｓ１と等しくなるように、張出部ＯＨ２の面積が調整され、面積Ｓ３が面積Ｓ１と等しくなるように、張出部ＯＨ３の面積が調整されている。
【０２２４】
なお、「面積Ｓ２が、面積Ｓ１に近づく」とは、面積Ｓ１に対する面積Ｓ２の比率が１に近づくことを意味し、好適には、例えば、面積Ｓ１に対する面積Ｓ２の比率が０．９〜１．１になることを意味する。また、「面積Ｓ３が、面積Ｓ１に近づく」とは、面積Ｓ１に対する面積Ｓ３の比率が１に近づくことを意味し、好適には、例えば、面積Ｓ１に対する面積Ｓ３の比率が０．９〜１．１になることを意味する。すなわち、「第２の面積が、第１の面積に近づく」とは、第１の面積に対する第２の面積の比率が１に近づくことを意味し、好適には、例えば、第１の面積に対する第２の面積の比率が０．９〜１．１になることを意味する（本実施の形態３の変形例においても同様）。
【０２２５】
本実施の形態３でも、実施の形態１と同様に、張出部ＯＨ１のＸ軸方向の長さをＬＮ１とし、張出部ＯＨ１のＹ軸方向の幅をＷＲ１とする。また、張出部ＯＨ２のＸ軸方向の長さをＬＮ２とし、張出部ＯＨ２のＹ軸方向の幅をＷＲ２とする。さらに、張出部ＯＨ３のＸ軸方向の長さをＬＮ３とし、張出部ＯＨ３のＹ軸方向の幅をＷＲ３とする。
【０２２６】
本実施の形態３でも、実施の形態１と同様に、例えば張出部ＯＨ１の長さＬＮ１、張出部ＯＨ２の長さＬＮ２および張出部ＯＨ３の長さＬＮ３は、互いに等しいものとする。このとき、張出部ＯＨ２の幅ＷＲ２は、張出部ＯＨ１の幅ＷＲ１より小さくなるように、調整されており、張出部ＯＨ３の幅ＷＲ３は、張出部ＯＨ１の幅ＷＲ１より小さくなるように、調整されている。つまり、長さＬＮ２と幅ＷＲ２との積である張出部ＯＨ２の面積ＳＯ２は、長さＬＮ１と幅ＷＲ１との積である張出部ＯＨ１の面積ＳＯ１よりも小さくなるように、調整されている。そして、長さＬＮ３と幅ＷＲ３との積である張出部ＯＨ３の面積ＳＯ３は、長さＬＮ１と幅ＷＲ１との積である張出部ＯＨ１の面積ＳＯ１よりも小さくなるように、調整されている。
【０２２７】
また、本体部ＢＤのうち駆動電極Ｔｘ２〜Ｔｘ９のそれぞれと重なる部分の面積ＳＢ１は、幅ＷＢと幅ＷＤ１との積で表される。そして、本体部ＢＤのうち駆動電極Ｔｘ１と重なる部分の面積ＳＢ２は、幅ＷＢと幅ＷＤ２との積で表され、本体部ＢＤのうち駆動電極Ｔｘ１０と重なる部分の面積ＳＢ３は、幅ＷＢと幅ＷＤ３との積で表される。したがって、検出電極Ｒｘのうち駆動電極Ｔｘ２〜Ｔｘ９のそれぞれと重なる部分の面積Ｓ１は、上記式（１）で表される。そして、検出電極Ｒｘのうち駆動電極Ｔｘ１と重なる部分の面積Ｓ２は、上記式（２）で表され、検出電極Ｒｘのうち駆動電極Ｔｘ１０と重なる部分の面積Ｓ３は、上記式（３）で表される。
【０２２８】
前述したように、幅ＷＤ２は幅ＷＤ１よりも大きく、幅ＷＤ３は幅ＷＤ１よりも大きいため、面積ＳＢ２は面積ＳＢ１よりも大きく、面積ＳＢ３は面積ＳＢ１よりも大きい。したがって、張出部ＯＨ２の面積ＳＯ２が張出部ＯＨ１の面積ＳＯ１と等しいときは、面積Ｓ２が面積Ｓ１よりも大きくなり、駆動電極Ｔｘ１と検出電極Ｒｘとの間の静電容量は、駆動電極Ｔｘ２〜Ｔｘ９のそれぞれと検出電極Ｒｘとの間の静電容量よりも大きくなる。また、張出部ＯＨ３の面積ＳＯ３が張出部ＯＨ１の面積ＳＯ１と等しいときは、面積Ｓ３が面積Ｓ１よりも大きくなり、駆動電極Ｔｘ１０と検出電極Ｒｘとの間の静電容量は、駆動電極Ｔｘ２〜Ｔｘ９のそれぞれと検出電極Ｒｘとの間の静電容量よりも大きくなる。
【０２２９】
しかし、本実施の形態３では、例えば幅ＷＲ２が幅ＷＲ１よりも小さいことにより、張出部ＯＨ２の面積ＳＯ２が張出部ＯＨ１の面積ＳＯ１よりも小さくなるように、調整されている。そして、検出電極Ｒｘのうち駆動電極Ｔｘ１と重なる部分の面積Ｓ２が検出電極Ｒｘのうち駆動電極Ｔｘ２〜Ｔｘ９のそれぞれと重なる部分の面積Ｓ１に近づくように、調整されている。したがって、駆動電極Ｔｘ１と検出電極Ｒｘとの間の静電容量が、駆動電極Ｔｘ２〜Ｔｘ９のそれぞれと検出電極Ｒｘとの間の静電容量に近づくように、調整することができる。
【０２３０】
また、本実施の形態３では、例えば幅ＷＲ３が幅ＷＲ１よりも小さいことにより、張出部ＯＨ３の面積ＳＯ３が張出部ＯＨ１の面積ＳＯ１よりも小さくなるように、調整されている。そして、検出電極Ｒｘのうち駆動電極Ｔｘ１０と重なる部分の面積Ｓ３が検出電極Ｒｘのうち駆動電極Ｔｘ２〜Ｔｘ９のそれぞれと重なる部分の面積Ｓ１に近づくように、調整されている。したがって、駆動電極Ｔｘ１０と検出電極Ｒｘとの間の静電容量が、駆動電極Ｔｘ２〜Ｔｘ９のそれぞれと検出電極Ｒｘとの間の静電容量に近づくように、調整することができる。
【０２３１】
つまり、本実施の形態３では、平面視において、検出電極のうち、他の駆動電極の幅よりも大きい幅を有する駆動電極と重なる部分の面積が、検出電極のうち、他の駆動電極と重なる部分の面積に近づくように、調整されている。
【０２３２】
また、本実施の形態３では、他の駆動電極の幅よりも大きい幅を有する駆動電極が、他の駆動電極の配列の両側に配置されている場合に、その大きい幅を有する駆動電極と検出電極との間の静電容量が、他の駆動電極と検出電極との間の静電容量に近づくように、調整することができる。
【０２３３】
さらに、本実施の形態３では、他の駆動電極の幅よりも大きい幅を有する駆動電極と検出電極との間の静電容量を調整するために、検出電極の面積を拡張する拡張部が、平面視において、表示領域の内部に設けられている。
【０２３４】
＜駆動電極および検出電極の配置の第１変形例＞
図２４は、実施の形態３の表示装置に備えられたタッチパネルにおける駆動電極および検出電極の配置の第１変形例を模式的に示す平面図である。図２４は、駆動電極Ｔｘ１の幅は、駆動電極Ｔｘ２〜Ｔｘ９のそれぞれの幅よりも大きいが、駆動電極Ｔｘ１０の幅は、駆動電極Ｔｘ２〜Ｔｘ９のそれぞれの幅と等しい例について示す。なお、図２４に示すタッチパネルＴＰ３のうち、図２３に示すタッチパネルＴＰ３の部材と同一の機能を有する部材には、同一の符号を付し、その繰り返しの説明は省略する。
【０２３５】
本第１変形例では、駆動電極Ｔｘ２〜Ｔｘ１０のそれぞれの幅ＷＤ１同士は、互いに等しく、駆動電極Ｔｘ１の幅ＷＤ２は、駆動電極Ｔｘ２〜Ｔｘ１０のそれぞれの幅ＷＤ１よりも大きい。
【０２３６】
検出電極Ｒｘは、本体部ＢＤおよび複数の張出部ＯＨ１および張出部ＯＨ２を含むが、張出部ＯＨ３（図２３参照）を含まない。すなわち、駆動電極Ｔｘ１０が設けられた領域の内部でも、張出部ＯＨ１が形成されている。
【０２３７】
本第１変形例における複数の張出部ＯＨ１のそれぞれは、実施の形態３における複数の張出部ＯＨ１のそれぞれと同一とすることができる。また、本第１変形例における張出部ＯＨ２は、実施の形態３における張出部ＯＨ２と同一とすることができる。
【０２３８】
本第１変形例では、実施の形態３と同様に、張出部ＯＨ２の面積が張出部ＯＨ１の面積よりも小さくなるように、調整され、検出電極Ｒｘのうち駆動電極Ｔｘ１と重なる部分の面積が検出電極Ｒｘのうち駆動電極Ｔｘ２〜Ｔｘ１０のそれぞれと重なる部分の面積に近づくように、調整されている。したがって、駆動電極Ｔｘ１と検出電極Ｒｘとの間の静電容量が、駆動電極Ｔｘ２〜Ｔｘ１０のそれぞれと検出電極Ｒｘとの間の静電容量に近づくように、調整することができる。
【０２３９】
つまり、他の駆動電極の幅よりも大きい幅を有する駆動電極が、他の駆動電極の配列の一方の外側のみに配置されている場合でも、その大きい幅を有する駆動電極と検出電極との間の静電容量が、他の駆動電極と検出電極との間の静電容量に近づくように、調整することができる。
【０２４０】
＜駆動電極および検出電極の配置の第２変形例＞
図２５は、実施の形態３の表示装置に備えられたタッチパネルにおける駆動電極および検出電極の配置の第２変形例を模式的に示す平面図である。図２５は、他の駆動電極の幅よりも大きい幅を有する駆動電極が、駆動電極の配列の外側に配置されておらず、駆動電極の配列の途中に配置されている例について示す。なお、図２５に示すタッチパネルＴＰ３のうち、図２３に示すタッチパネルＴＰ３の部材と同一の機能を有する部材には、同一の符号を付し、その繰り返しの説明は省略する。
【０２４１】
本第２変形例では、平面視において、駆動電極Ｔｘ１〜Ｔｘ３、Ｔｘ５〜Ｔｘ１０のそれぞれのＹ軸方向の幅をＷＤ１とし、駆動電極の配列の途中に配置されている駆動電極Ｔｘ４のＹ軸方向の幅をＷＤ２とする。このとき、駆動電極Ｔｘ１〜Ｔｘ３、Ｔｘ５〜Ｔｘ１０のそれぞれの幅ＷＤ１同士は、互いに等しく、駆動電極Ｔｘ４の幅ＷＤ２は、駆動電極Ｔｘ１〜Ｔｘ３、Ｔｘ５〜Ｔｘ１０のそれぞれの幅ＷＤ１よりも大きい。
【０２４２】
例えば表示装置としての要求仕様などにより、駆動電極Ｔｘの１本当たりの画素数に、Ｙ軸方向の画素数が割り切れずに生じた端数を加えて得た画素数と、画素電極の配列周期または幅とを乗じて得た幅を有する駆動電極を、駆動電極の配列の外側にではなく、駆動電極の配列の途中に配置することがある。このような場合、駆動電極の配列の途中に配置された駆動電極である例えば駆動電極Ｔｘ４の幅ＷＤ２を、他の駆動電極である駆動電極Ｔｘ１〜Ｔｘ３、Ｔｘ５〜Ｔｘ１０のそれぞれの幅ＷＤ１よりも大きくする。
【０２４３】
なお、幅ＷＤ１については、駆動電極Ｔｘ１〜Ｔｘ３と駆動電極Ｔｘ５〜Ｔｘ１０との間で、異ならせることもできる。また、本第２変形例では、他の駆動電極の幅よりも大きい幅を有する駆動電極が配列の４番目に配置されている例について説明するが、配列の途中であればよく、４番目に限定されない。
【０２４４】
本第２変形例では、駆動電極Ｔｘ１〜Ｔｘ３、Ｔｘ５〜Ｔｘ１０のそれぞれと検出電極Ｒｘとの交差部をＣＲ１とし、駆動電極Ｔｘ４と検出電極Ｒｘとの交差部をＣＲ２とする。また、駆動電極Ｔｘ１〜Ｔｘ３、Ｔｘ５〜Ｔｘ１０のそれぞれと検出電極Ｒｘとの間の静電容量をＣＰ１とし、駆動電極Ｔｘ４と検出電極Ｒｘとの間の静電容量をＣＰ２とする。このとき、静電容量ＣＰ１、ＣＰ２に基づいて、入力位置が検出される。
【０２４５】
本第２変形例における複数の張出部ＯＨ１のそれぞれは、実施の形態３における複数の張出部ＯＨ１のそれぞれと同一とすることができる。また、本第２変形例における張出部ＯＨ２は、実施の形態３における張出部ＯＨ２と同一とすることができる。
【０２４６】
本第２変形例でも、実施の形態３と同様に、張出部ＯＨ２の面積が張出部ＯＨ１の面積よりも小さくなるように、調整されている。そして、検出電極Ｒｘのうち駆動電極Ｔｘ４と重なる部分の面積が検出電極Ｒｘのうち駆動電極Ｔｘ１〜Ｔｘ３、Ｔｘ５〜Ｔｘ１０のそれぞれと重なる部分の面積に近づくように、調整されている。
【０２４７】
＜駆動電極および検出電極の配置の第３変形例＞
図２６は、実施の形態３の表示装置に備えられたタッチパネルにおける駆動電極および検出電極の配置の第３変形例を模式的に示す平面図である。図２６は、張出部ＯＨ１〜ＯＨ３が、本体部ＢＤの一方の側に張り出しているが、本体部ＢＤの他方の側には張り出していない例について示す。なお、第３変形例におけるタッチパネルＴＰ３のうち、張出部ＯＨ１〜ＯＨ３以外の各部分については、実施の形態３におけるタッチパネルＴＰ３の各部分と同一である。したがって、図２６に示すタッチパネルＴＰ３のうち、張出部ＯＨ１〜ＯＨ３以外の各部分であって、図２３に示すタッチパネルＴＰ３の部材と同一の機能を有する部材には、同一の符号を付し、その繰り返しの説明は省略する。
【０２４８】
図２６に示す第３変形例では、複数の張出部ＯＨ１、および張出部ＯＨ２、ＯＨ３は、平面視において、本体部ＢＤからＸ軸方向の正の方向のみに張り出すように形成されており、検出電極Ｒｘは、櫛状の形状を有している。
【０２４９】
本第３変形例の場合でも、実施の形態３と同様に、張出部ＯＨ２、ＯＨ３の面積が張出部ＯＨ１の面積よりも小さくなるように、調整されている。そして、検出電極Ｒｘのうち駆動電極Ｔｘ１、Ｔｘ１０のそれぞれと重なる部分の面積が検出電極Ｒｘのうち駆動電極Ｔｘ２〜Ｔｘ９のそれぞれと重なる部分の面積に近づくように、調整されている。
【０２５０】
なお、本第３変形例についても、図２０に示す実施の形態２の第４変形例と同様に、複数の張出部ＯＨ１、および張出部ＯＨ２、ＯＨ３が、本体部ＢＤからＸ軸方向の正の方向または負の方向に張り出すように、形成されていてもよい。そして、張出部ＯＨ１〜ＯＨ３が本体部ＢＤからＸ軸方向の正の方向に張り出している検出電極と、張出部ＯＨ１〜ＯＨ３が本体部ＢＤからＸ軸方向の負の方向に張り出している検出電極とが、Ｘ軸方向に交互に配列されていてもよい。
【０２５１】
＜駆動電極および検出電極の配置の第４変形例＞
図２７は、実施の形態３の表示装置に備えられたタッチパネルにおける駆動電極および検出電極の配置の第４変形例を模式的に示す平面図である。図２７は、複数の検出電極のそれぞれが複数の本体部を有する例について示す。なお、図２７では、基板１２、表示領域ＥＡ１、検出領域ＥＡ２および領域ＯＥＡ（図２３参照）の図示を省略する。また、第４変形例におけるタッチパネルのうち、検出電極Ｒｘ１〜Ｒｘ１０すなわち検出電極Ｒｘ以外の各部分は、実施の形態３におけるタッチパネルＴＰ３の各部分と同一である。したがって、図２７に示すタッチパネルのうち、検出電極Ｒｘ以外の各部分であって、図２３に示すタッチパネルＴＰ３の部材と同一の機能を有する部材には、同一の符号を付し、その繰り返しの説明は省略する。
【０２５２】
図２７に示す第４変形例では、検出電極Ｒｘは、３本の本体部ＢＤ１、ＢＤ２、ＢＤ３、複数の繋ぎ部ＣＮ１および繋ぎ部ＣＮ２、ＣＮ３、ならびに、複数の張出部ＯＨ１および張出部ＯＨ２、ＯＨ３を含む。
【０２５３】
本第４変形例における３本の本体部ＢＤ１、ＢＤ２、ＢＤ３のそれぞれは、実施の形態１の第４変形例における３本の本体部ＢＤ１、ＢＤ２、ＢＤ３のそれぞれと同一とすることができる。なお、実施の形態１の第４変形例と同様に、検出電極Ｒｘが３本の本体部ＢＤ１、ＢＤ２、ＢＤ３を含む場合には限定されず、２本または４本以上の本体部を含んでもよい。
【０２５４】
本第４変形例における複数の繋ぎ部ＣＮ１のそれぞれは、実施の形態１の第４変形例における複数の繋ぎ部ＣＮ１のそれぞれと同一とすることができる。また、本第４変形例における複数の張出部ＯＨ１のそれぞれは、実施の形態１の第４変形例における複数の張出部ＯＨ１のそれぞれと同一とすることができる。
【０２５５】
繋ぎ部ＣＮ２は、平面視において、駆動電極Ｔｘ１が設けられた領域の内部で、本体部ＢＤ１、ＢＤ２、ＢＤ３を繋ぐように形成されている。繋ぎ部ＣＮ３は、平面視において、駆動電極Ｔｘ１０が設けられた領域の内部で、本体部ＢＤ１、ＢＤ２、ＢＤ３を繋ぐように形成されている。繋ぎ部ＣＮ２、ＣＮ３は、繋ぎ部ＣＮ２、ＣＮ３が形成されていない場合に比べ、検出電極Ｒｘの面積を拡張する拡張部である。
【０２５６】
張出部ＯＨ２は、平面視において、駆動電極Ｔｘ１が設けられた領域の内部で、本体部ＢＤ１からＸ軸方向の負の方向に張り出し、本体部ＢＤ３からＸ軸方向の正の方向に張り出すように、形成されている。張出部ＯＨ２は、張出部ＯＨ２が形成されていない場合に比べ、検出電極Ｒｘの面積を拡張する拡張部である。
【０２５７】
張出部ＯＨ３は、平面視において、駆動電極Ｔｘ１０が設けられた領域の内部で、本体部ＢＤ１からＸ軸方向の負の方向に張り出し、本体部ＢＤ３からＸ軸方向の正の方向に張り出すように、形成されている。張出部ＯＨ３は、張出部ＯＨ３が形成されていない場合に比べ、検出電極Ｒｘの面積を拡張する拡張部である。
【０２５８】
本第４変形例では、繋ぎ部ＣＮ２および張出部ＯＨ２のそれぞれの面積が、繋ぎ部ＣＮ１および張出部ＯＨ１のそれぞれの面積よりも小さくなるように、調整されている。すなわち、実施の形態３と同様に、検出電極Ｒｘのうち駆動電極Ｔｘ１と重なる部分の面積が、検出電極Ｒｘのうち駆動電極Ｔｘ２〜Ｔｘ９のそれぞれと重なる部分の面積に近づくように、調整されている。
【０２５９】
また、本第４変形例では、繋ぎ部ＣＮ３および張出部ＯＨ３のそれぞれの面積が、繋ぎ部ＣＮ１および張出部ＯＨ１のそれぞれの面積よりも小さくなるように、調整されている。すなわち、実施の形態３と同様に、検出電極Ｒｘのうち駆動電極Ｔｘ１０と重なる部分の面積が、検出電極Ｒｘのうち駆動電極Ｔｘ２〜Ｔｘ９のそれぞれと重なる部分の面積に近づくように、調整されている。
【０２６０】
＜駆動電極および検出電極の配置の第５変形例＞
図２８は、実施の形態３の表示装置に備えられたタッチパネルにおける駆動電極および検出電極の配置の第５変形例を模式的に示す平面図である。図２８は、複数の検出電極のそれぞれが複数の本体部を有する例について示す。なお、図２８では、基板１２、表示領域ＥＡ１、検出領域ＥＡ２および領域ＯＥＡ（図２３参照）の図示を省略する。また、第５変形例におけるタッチパネルのうち、検出電極Ｒｘ１〜Ｒｘ１０すなわち検出電極Ｒｘ以外の部分は、実施の形態３におけるタッチパネルＴＰ３の各部分と同一である。したがって、図２８に示すタッチパネルのうち、検出電極Ｒｘ以外の部分であって、図２３に示すタッチパネルＴＰ３の部材と同一の機能を有する部材には、同一の符号を付し、その繰り返しの説明は省略する。
【０２６１】
図２８に示す第５変形例では、検出電極Ｒｘは、２本の本体部ＢＤ１、ＢＤ２および繋ぎ部ＣＮ１を含む。
【０２６２】
本第５変形例における２本の本体部ＢＤ１、ＢＤ２のそれぞれは、実施の形態１の第５変形例における２本の本体部ＢＤ１、ＢＤ２のそれぞれと同一とすることができる。なお、実施の形態１の第５変形例と同様に、検出電極Ｒｘが２本の本体部ＢＤ１、ＢＤ２を含む場合には限定されず、３本以上の本体部を含んでもよい。
【０２６３】
繋ぎ部ＣＮ１は、平面視において、駆動電極Ｔｘ２〜Ｔｘ９のそれぞれが設けられた領域の内部で、本体部ＢＤ１、ＢＤ２を繋ぐように形成されている。繋ぎ部ＣＮ１は、繋ぎ部ＣＮ１が形成されていない場合に比べ、検出電極Ｒｘの面積を拡張する拡張部である。
【０２６４】
一方、図２８に示すように、平面視において、駆動電極Ｔｘ１、Ｔｘ１０のそれぞれが設けられた領域の内部では、検出電極Ｒｘの面積を拡張する拡張部としての繋ぎ部または張出部が形成されないようにすることができる。
【０２６５】
本第５変形例では、繋ぎ部ＣＮ１が形成されることで、実施の形態３と同様に、検出電極Ｒｘのうち駆動電極Ｔｘ１、Ｔｘ１０のそれぞれと重なる部分の面積が、検出電極Ｒｘのうち駆動電極Ｔｘ２〜Ｔｘ９のそれぞれと重なる部分の面積に近づくように、繋ぎ部ＣＮ１の面積が調整されている。
【０２６６】
なお、本第５変形例でも、実施の形態３の第２変形例と同様に、他の駆動電極の幅よりも大きい幅を有する駆動電極が、駆動電極の配列の外側に配置されておらず、駆動電極の配列の途中に配置されていてもよい。
【０２６７】
＜駆動電極および検出電極の配置の第６変形例＞
図２９は、実施の形態３の表示装置に備えられたタッチパネルにおける駆動電極および検出電極の配置の第６変形例を模式的に示す平面図である。図２９は、張出部の幅ではなく長さが調整されている例について示す。なお、図２９に示すタッチパネルＴＰ３のうち、図２３に示すタッチパネルＴＰ３の部材と同一の機能を有する部材には、同一の符号を付し、その繰り返しの説明は省略する。
【０２６８】
図２９に示す第６変形例では、検出電極Ｒｘは、本体部ＢＤ、ならびに、複数の張出部ＯＨ１および張出部ＯＨ２、ＯＨ３を含む。本体部ＢＤは、Ｙ軸方向に延在しており、本体部ＢＤのＸ軸方向の幅をＷＢとする。なお、図２９では、駆動電極Ｔｘ２が設けられた領域の内部で形成された張出部ＯＨ１、および、張出部ＯＨ２、ＯＨ３にハッチングを付している。
【０２６９】
本第６変形例における複数の張出部ＯＨ１のそれぞれは、実施の形態３における複数の張出部ＯＨ１のそれぞれと同一とすることができる。
【０２７０】
張出部ＯＨ２は、平面視において、駆動電極Ｔｘ１が設けられた領域の内部で、すなわち、交差部ＣＲ２で、本体部ＢＤからＸ軸方向の正の方向および負の方向にそれぞれ張り出すように、形成されている。張出部ＯＨ２は、張出部ＯＨ２が形成されていない場合に比べ、検出電極Ｒｘの面積を拡張する拡張部である。
【０２７１】
張出部ＯＨ３は、平面視において、駆動電極Ｔｘ１０が設けられた領域の内部で、すなわち、交差部ＣＲ３で、本体部ＢＤからＸ軸方向の正の方向および負の方向にそれぞれ張り出すように、形成されている。張出部ＯＨ３は、張出部ＯＨ３が形成されていない場合に比べ、検出電極Ｒｘの面積を拡張する拡張部である。
【０２７２】
本第６変形例では、実施の形態３と異なり、例えば張出部ＯＨ１の幅ＷＲ１、張出部ＯＨ２の幅ＷＲ２および張出部ＯＨ３の幅ＷＲ３は、互いに等しいものとする。このとき、例えば張出部ＯＨ２の長さＬＮ２は、張出部ＯＨ１の長さＬＮ１より小さくなるように、調整されており、張出部ＯＨ３の長さＬＮ３は、張出部ＯＨ１の長さＬＮ１より小さくなるように、調整されている。
【０２７３】
本第６変形例では、例えば長さＬＮ２が長さＬＮ１よりも小さいことにより、張出部ＯＨ２の面積が張出部ＯＨ１の面積よりも小さくなるように、調整されている。そして、実施の形態３と同様に、検出電極Ｒｘのうち駆動電極Ｔｘ１と重なる部分の面積が検出電極Ｒｘのうち駆動電極Ｔｘ２〜Ｔｘ９のそれぞれと重なる部分の面積に近づくように、調整されている。
【０２７４】
また、本第６変形例では、例えば長さＬＮ３が長さＬＮ１よりも小さいことにより、張出部ＯＨ３の面積が張出部ＯＨ１の面積よりも小さくなるように、調整されている。そして、実施の形態３と同様に、検出電極Ｒｘのうち駆動電極Ｔｘ１０と重なる部分の面積が検出電極Ｒｘのうち駆動電極Ｔｘ２〜Ｔｘ９のそれぞれと重なる部分の面積に近づくように、調整されている。
【０２７５】
＜駆動電極と検出電極との間の静電容量について＞
次に、比較例２を参照し、駆動電極と検出電極との間の静電容量について説明する。図３０は、比較例２の表示装置に備えられたタッチパネルにおける駆動電極および検出電極の配置を模式的に示す平面図である。
【０２７６】
比較例２では、検出電極Ｒｘは、本体部ＢＤおよび張出部ＯＨ１〜ＯＨ３を含むが、張出部ＯＨ１の面積、張出部ＯＨ２の面積および張出部ＯＨ３の面積が、互いに等しいものとする。本体部ＢＤは、Ｙ軸方向に延在しており、本体部ＢＤのＸ軸方向の幅をＷＢとする。
【０２７７】
図３１は、比較例２において、複数の駆動電極のそれぞれに駆動電圧を印加したときに検出される検出容量を示すグラフである。図３１では、図１４と同様に、横軸は、駆動電圧が印加される駆動電極を表し、縦軸は、検出容量を表している。また、図３１では、図１４と同様に、ＡＤＣにより検出可能な検出容量の範囲すなわちＡＤＣレンジの下限値ＬＬ１および上限値ＵＬ１を示している。さらに、図３１に示す検出容量は、図１４に示す検出容量と同様に、駆動電極Ｔｘ１〜Ｔｘ１０のそれぞれと検出電極Ｒｘとの間の静電容量に等しい。
【０２７８】
なお、図３０に示す比較例２のタッチパネルＴＰ２００のうち、検出電極Ｒｘ１〜Ｒｘ１０すなわち検出電極Ｒｘ以外の各部分については、図２３に示す実施の形態３のタッチパネルＴＰ３のうち、検出電極Ｒｘ以外の各部分と同一である。また、比較例２のタッチパネルＴＰ２００を備えた表示装置のうち、タッチパネルＴＰ２００以外の各部分についても、図６に示す表示装置ＬＣＤ１のうち、タッチパネルＴＰ１以外の各部分と同一である。
【０２７９】
つまり、比較例２でも、実施の形態３と同様に、駆動電極Ｔｘ１の幅ＷＤ２は、駆動電極Ｔｘ２〜Ｔｘ９のそれぞれの幅ＷＤ１よりも大きく、駆動電極Ｔｘ１０の幅ＷＤ３は、駆動電極Ｔｘ２〜Ｔｘ９のそれぞれの幅ＷＤ１よりも大きい。
【０２８０】
また、比較例２における検出電極Ｒｘの各部分は、張出部ＯＨ１の面積、張出部ＯＨ２の面積および張出部ＯＨ３の面積が、互いに等しい点を除き、実施の形態３における検出電極Ｒｘの各部分と同一である。
【０２８１】
なお、図３０では、駆動電極Ｔｘ２が設けられた領域の内部で形成された張出部ＯＨ１、および、張出部ＯＨ２、ＯＨ３にハッチングを付している。
【０２８２】
比較例２でも、実施の形態３と同様に、駆動電極Ｔｘ１の幅ＷＤ２は駆動電極Ｔｘ２〜Ｔｘ９のそれぞれの幅ＷＤ１よりも大きい。そのため、検出電極Ｒｘのうち駆動電極Ｔｘ１と重なる部分の面積Ｓ２は、検出電極Ｒｘのうち駆動電極Ｔｘ２〜Ｔｘ９のそれぞれと重なる部分の面積Ｓ１よりも大きくなる。また、駆動電極Ｔｘ１０の幅ＷＤ３は駆動電極Ｔｘ２〜Ｔｘ９のそれぞれの幅ＷＤ１よりも大きい。そのため、検出電極Ｒｘのうち駆動電極Ｔｘ１０と重なる部分の面積Ｓ３は、検出電極Ｒｘのうち駆動電極Ｔｘ２〜Ｔｘ９のそれぞれと重なる部分の面積Ｓ１よりも大きくなる。したがって、駆動電極Ｔｘ１、Ｔｘ１０のそれぞれと検出電極Ｒｘとの間の静電容量は、駆動電極Ｔｘ２〜Ｔｘ９のそれぞれと検出電極Ｒｘとの間の静電容量よりも大きくなる。
【０２８３】
比較例２のタッチパネルＴＰ２００では、図３１に示すように、駆動電極Ｔｘ２〜Ｔｘ９のそれぞれに駆動電圧を印加したときに検出される静電容量すなわち検出容量は、一定値ＣＳＴ１となる。
【０２８４】
しかし、比較例２のタッチパネルＴＰ２００では、駆動電極Ｔｘ１、Ｔｘ１０のそれぞれに駆動電圧を印加したときに検出される静電容量すなわち検出容量は、一定値ＣＳＴ１よりも大きくなる。検出容量が一定値ＣＳＴ１よりも大きくなると、検出容量がＡＤＣレンジの上限値ＵＬ１に近づくか、上限値ＵＬ１よりも大きくなるおそれがある。つまり、駆動電極Ｔｘ１、Ｔｘ１０のそれぞれに駆動電圧を印加したときに検出される検出容量の、ＡＤＣレンジの上限値ＵＬ１に対する差、すなわち裕度が小さくなり、検出容量のノイズ耐性が低下する。その結果、比較例２のタッチパネルＴＰ２００では、駆動電極Ｔｘ１、Ｔｘ１０上において、駆動電極Ｔｘ２〜Ｔｘ９上に比べ、位置検出精度が低下するか、位置検出感度が低下するおそれがある。
【０２８５】
＜本実施の形態の主要な特徴と効果＞
本実施の形態３およびその第１変形例〜第６変形例では、検出電極Ｒｘは、平面視において、駆動電極Ｔｘ１、Ｔｘ１０が設けられた領域に配置され、検出電極の面積を拡張する拡張部として、例えば張出部ＯＨ２、ＯＨ３または繋ぎ部ＣＮ２、ＣＮ３もしくは繋ぎ部ＣＮ１を含む。以下、張出部ＯＨ２、ＯＨ３または繋ぎ部ＣＮ２、ＣＮ３もしくは繋ぎ部ＣＮ１を代表して、張出部ＯＨ２、ＯＨ３について説明する。
【０２８６】
張出部ＯＨ２、ＯＨ３のそれぞれの面積が張出部ＯＨ１の面積よりも小さくなるように、調整され、検出電極Ｒｘのうち駆動電極Ｔｘ１、Ｔｘ１０のそれぞれと重なる部分の面積が、検出電極Ｒｘのうち駆動電極Ｔｘ２〜Ｔｘ９のそれぞれと重なる部分の面積に近づくように、調整されている。したがって、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量に近づくように、調整することができる。これにより、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量に比べて大きくなることを防止または抑制することができる。
【０２８７】
図３２は、実施の形態３の実施例としての実施例５および実施例６において、複数の駆動電極のそれぞれに駆動電圧を印加したときに検出される検出容量を示すグラフである。図３２では、図１５と同様に、横軸は、駆動電圧が印加される駆動電極を表し、縦軸は、検出容量を表している。また、図３２では、図１５と同様に、ＡＤＣにより検出可能な検出容量の範囲すなわちＡＤＣレンジの下限値ＬＬ１および上限値ＵＬ１を示している。さらに、図３２に示す検出容量は、図１５に示す検出容量と同様に、駆動電極Ｔｘ１〜Ｔｘ１０のそれぞれと検出電極Ｒｘとの間の静電容量に等しい。
【０２８８】
図３２に示すように、実施例５および実施例６においても、駆動電極Ｔｘ２〜Ｔｘ９のそれぞれに駆動電圧を印加したときに検出される静電容量すなわち検出容量は、一定値ＣＳＴ１であるものとする。
【０２８９】
このとき、好適には、駆動電極Ｔｘ１、Ｔｘ１０のそれぞれに駆動電圧を印加したときに検出される静電容量すなわち検出容量が、一定値ＣＳＴ１に対して±１０％以内の範囲に含まれるように、張出部ＯＨ２、ＯＨ３のそれぞれの面積を調整する。検出電極Ｒｘが、このように調整された張出部ＯＨ２、ＯＨ３を含む場合を、図３２に示す実施例５とする。
【０２９０】
図３２に示す実施例５では、図３１に示す比較例２に比べ、駆動電極Ｔｘ１、Ｔｘ１０のそれぞれに駆動電圧を印加したときに検出される検出容量の、ＡＤＣレンジの上限値ＵＬ１に対する差、すなわち裕度が小さくなることを抑制することができる。そして、駆動電極Ｔｘ１、Ｔｘ１０のそれぞれに駆動電圧を印加したときに検出される検出容量のノイズ耐性が低下することを抑制することができる。その結果、駆動電極Ｔｘ１、Ｔｘ１０上において、駆動電極Ｔｘ２〜Ｔｘ９上に比べ、位置検出精度が低下することを防止または抑制し、位置検出感度が低下することを防止または抑制することができる。したがって、表示装置における位置検出性能を向上させることができる。
【０２９１】
さらに、好適には、駆動電極Ｔｘ１、Ｔｘ１０のそれぞれに駆動電圧を印加したときに検出される検出容量が、一定値ＣＳＴ１に等しくなるように、張出部ＯＨ２、ＯＨ３のそれぞれの面積を調整する。検出電極Ｒｘが、このように調整された張出部ＯＨ２、ＯＨ３を含む場合を、図３２に示す実施例６とする。
【０２９２】
図３２に示す実施例６では、図３１に示す比較例２に比べ、駆動電極Ｔｘ１、Ｔｘ１０のそれぞれに駆動電圧を印加したときに検出される検出容量の、ＡＤＣレンジの上限値ＵＬ１に対する裕度が小さくなることをさらに確実に抑制することができる。そして、駆動電極Ｔｘ１、Ｔｘ１０のそれぞれに駆動電圧を印加したときに検出される検出容量のノイズ耐性が低下することをさらに確実に抑制することができる。その結果、駆動電極Ｔｘ１、Ｔｘ１０上において、駆動電極Ｔｘ２〜Ｔｘ９上に比べ、位置検出精度が低下することをさらに確実に防止または抑制し、位置検出感度が低下することをさらに確実に防止または抑制することができる。したがって、表示装置における位置検出性能を向上させることができる。
【０２９３】
（実施の形態４）
実施の形態１〜実施の形態３では、他の駆動電極の幅と異なる幅を有する駆動電極を含む入力装置としてのタッチパネルを、インセルタイプの液晶表示装置に備えられた入力装置に適用した例について説明した。それに対して、実施の形態４では、他の駆動電極の幅と異なる幅を有する駆動電極を含む入力装置としてのタッチパネルを、単体での入力装置またはオンセルタイプの表示装置に備えられた入力装置に適用した例について説明する。
【０２９４】
なお、本実施の形態４のタッチパネルは、液晶表示装置を始めとして、有機ＥＬ表示装置などの各種の表示装置上に入力装置が設けられた、オンセルタイプの表示装置に備えられた入力装置に適用することができる。
【０２９５】
＜タッチパネルの構成＞
次に、本実施の形態４のタッチパネルの構成について説明する。
【０２９６】
図３３は、実施の形態４のタッチパネルの一例の構成を示す平面図である。図３４は、実施の形態４のタッチパネルの一例の構成を示す断面図である。図３４は、図３３のＡ−Ａ線に沿った断面図である。
【０２９７】
図３３に示すように、タッチパネルＴＰ４は、基板１２ｃを有する。基板１２ｃは、検出面側である前面１２ｄおよび前面１２ｄの反対側に位置する背面１２ｅを有する。
【０２９８】
なお、本実施の形態４において、平面視においてとは、基板１２ｃの前面１２ｄに垂直な方向から表示装置を視た場合を意味する。
【０２９９】
基板１２ｃの背面１２ｅには、複数の駆動電極Ｔｘが形成されている。複数の駆動電極Ｔｘは、例えばＩＴＯなどの、透光性を有し、透明な導電膜、すなわち透明導電膜からなる。複数の駆動電極Ｔｘは、図３３に示すように、タッチパネルが位置を検出する領域である検出領域ＥＡ２内で、一方向に延在するように並設されている。このとき、駆動電極Ｔｘは、Ａ−Ａ線に沿った断面において、検出領域ＥＡ２の内部に配置されている。一方、図３３に示すように、駆動電極Ｔｘは、その両端が検出領域ＥＡ２の外側まで延在するように、形成されていてもよい。
【０３００】
また、本実施の形態４では、タッチパネルが表示装置に備えられる場合でも、その表示装置は、オンセルタイプの表示装置である。そのため、タッチパネルが位置を検出する領域である検出領域ＥＡ２は、表示装置が表示を行う領域である表示領域ＥＡ１（図４参照）と、一致しなくてもよい。
【０３０１】
基板１２ｃの前面１２ｄには、複数の検出電極Ｒｘが形成されている。複数の検出電極Ｒｘは、例えばＩＴＯなどの、透光性を有し、透明な導電膜、すなわち透明導電膜からなる。
【０３０２】
基板１２ｃの背面１２ｅには、配線基板２１ｃが形成されている。配線基板２１ｃを、実施の形態１の配線基板２１と同様に、例えばいわゆるフレキシブル配線基板とすることができる。配線基板２１ｃには、配線２１ｂが形成されている。配線２１ｂの一端は、複数の駆動電極Ｔｘと電気的に接続されており、配線２１ｂの他端は、駆動回路ＤＲ１と電気的に接続されている。駆動回路ＤＲ１は、駆動電極Ｔｘに、図２を用いて説明した入力位置検出用の駆動波形ＤＷを印加する。
【０３０３】
基板１２ｃの前面１２ｄには、配線基板２２が形成されている。実施の形態１と同様に、配線基板２２を、例えばいわゆるフレキシブル配線基板とすることができる。配線基板２２には、配線２２ａが形成されている。配線２２ａの一端は、複数の検出電極Ｒｘのそれぞれと電気的に接続され、配線２２ａの他端は、検出回路ＤＴ１と電気的に接続されている。検出回路ＤＴ１は、検出信号に基づいて、入力位置を検出する。
【０３０４】
＜表示装置の構成＞
図３５は、実施の形態４の表示装置の一例の構成を示す断面図である。図３５に示す表示装置は、図６を用いて前述した液晶表示装置からなる表示装置のうち検出電極Ｒｘ、配線２１ｂおよび駆動回路ＤＲ１を除いた表示装置ＬＣＤ２の基板１２の前面１２ａ側にタッチパネルＴＰ４を取り付け、オンセルタイプのタッチ検出機能付き表示装置としたものである。したがって、表示装置ＬＣＤ２の各部分については、図６に示す表示装置ＬＣＤ１のうち、検出電極Ｒｘ、配線２１ｂおよび駆動回路ＤＲ１を除いた各部分と同一であり、その説明を省略する。
【０３０５】
このとき、表示装置ＬＣＤ２に備えられた共通電極１４は、タッチパネルの検出電極としては用いられないことになる。また、液晶表示装置としての表示装置ＬＣＤ２において、液晶層の液晶分子の配向を変化させるために電界を印加する方式のうち、縦電界モードとして、例えばＴＮ（Twisted Nematic）モードや、ＶＡ（Vertical Alignment）モードを用いることができる。さらに、横電界モードとして、前述したＩＰＳモードや、ＦＦＳモードなどを用いることができる。
【０３０６】
＜駆動電極および検出電極の配置＞
本実施の形態４のタッチパネルにおける駆動電極および検出電極の配置として、実施の形態１およびその第１変形例〜第５変形例のいずれかのタッチパネルにおける駆動電極および検出電極の配置を適用することができる。また、本実施の形態４のタッチパネルにおける駆動電極および検出電極の配置として、実施の形態２およびその第１変形例〜第６変形例のいずれかのタッチパネルにおける駆動電極および検出電極の配置を適用することができる。
【０３０７】
単体として用いられるタッチパネル、および、オンセルタイプの表示装置に備えられたタッチパネルでも、配置の制約などにより、ある駆動電極の幅が、他の駆動電極の幅よりも小さくなる場合がある。
【０３０８】
しかし、本実施の形態４では、実施の形態１およびその第１変形例〜第５変形例のいずれかに示したタッチパネルにおける駆動電極および検出電極の配置を適用することができる。これにより、図７などを用いて説明したように、駆動電極Ｔｘ１の幅ＷＤ２、および、駆動電極Ｔｘ１０の幅ＷＤ３が駆動電極Ｔｘ２〜Ｔｘ９のそれぞれの幅ＷＤ１より小さいときも、駆動電極Ｔｘ１、Ｔｘ１０のそれぞれと検出電極Ｒｘとの間の静電容量を増加させることができる。そのため、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量よりも小さくなることを防止または抑制することができる。
【０３０９】
また、本実施の形態４では、実施の形態２およびその第１変形例〜第６変形例のいずれかに示したタッチパネルにおける駆動電極および検出電極の配置を適用することができる。これにより、図１６などを用いて説明したように、駆動電極Ｔｘ１の幅ＷＤ２、および、駆動電極Ｔｘ１０の幅ＷＤ３が駆動電極Ｔｘ２〜Ｔｘ９のそれぞれの幅ＷＤ１より小さいときも、駆動電極Ｔｘ１、Ｔｘ１０のそれぞれと検出電極Ｒｘとの間の静電容量を増加させることができる。そのため、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量よりも小さくなることを防止または抑制することができる。
【０３１０】
さらに、本実施の形態４のタッチパネルにおける駆動電極および検出電極の配置として、実施の形態３およびその第１変形例〜第６変形例のいずれかのタッチパネルにおける駆動電極および検出電極の配置を適用することができる。
【０３１１】
単体として用いられるタッチパネル、および、オンセルタイプの表示装置に備えられたタッチパネルでも、配置の制約などにより、ある駆動電極の幅が、他の駆動電極の幅よりも大きくなる場合がある。
【０３１２】
しかし、本実施の形態４では、実施の形態３およびその第１変形例〜第６変形例のいずれかに示したタッチパネルにおける駆動電極および検出電極の配置を適用することができる。これにより、図２３などを用いて説明したように、駆動電極Ｔｘ１の幅ＷＤ２、および、駆動電極Ｔｘ１０の幅ＷＤ３が駆動電極Ｔｘ２〜Ｔｘ９のそれぞれの幅ＷＤ１より大きいときも、駆動電極Ｔｘ１、Ｔｘ１０のそれぞれと検出電極Ｒｘとの間の静電容量を減少させることができる。そのため、駆動電極Ｔｘ１、Ｔｘ１０のそれぞれと検出電極Ｒｘとの間の静電容量が、駆動電極Ｔｘ２〜Ｔｘ９のそれぞれと検出電極Ｒｘとの間の静電容量よりも大きくなることを防止または抑制することができる。
【０３１３】
このように、本実施の形態４では、単体の、またはオンセルタイプの表示装置に備えられた、タッチパネルにおいて、他の駆動電極の幅と異なる幅を有する駆動電極と検出電極との間の静電容量が、他の駆動電極と検出電極との間の静電容量に近づくように、調整することができる。
【０３１４】
これにより、他の駆動電極の幅と異なる幅を有する駆動電極に駆動電圧を印加したときに検出される検出容量の、ＡＤＣレンジの下限値または上限値に対する裕度が小さくなることを防止し、検出容量のノイズ耐性が低下することを防止または抑制することができる。そのため、実施の形態１〜実施の形態３と同様に、他の駆動電極の幅と異なる幅を有する駆動電極上において、他の駆動電極上に比べ、位置検出精度が低下することを防止または抑制し、位置検出感度が低下することを防止または抑制することができる。したがって、単体のタッチパネルまたはオンセルタイプの表示装置に備えられたタッチパネルにおける位置検出性能を向上させることができる。
【０３１５】
（実施の形態５）
次に、図３６〜図４２を参照して、実施の形態１〜実施の形態４およびそれらの変形例で説明した表示装置の適用例としての電子機器について説明する。実施の形態１〜実施の形態４およびそれらの変形例のタッチ検出機能付き表示装置等は、テレビジョン装置、デジタルカメラ、ノート型パーソナルコンピュータ、携帯電話機等の携帯端末装置あるいはビデオカメラなどのあらゆる分野の電子機器に適用することが可能である。言い換えると、実施の形態１〜実施の形態４およびそれらの変形例のタッチ検出機能付き表示装置等は、外部から入力された映像信号あるいは内部で生成した映像信号を、画像あるいは映像として表示するあらゆる分野の電子機器に適用することが可能である。
【０３１６】
＜テレビジョン装置＞
図３６は、実施の形態５の電子機器の一例としてのテレビジョン装置の外観を表す斜視図である。このテレビジョン装置は、例えば、フロントパネル５１１およびフィルターガラス５１２を含む映像表示画面部５１３を有している。そして、映像表示画面部５１３は、実施の形態１〜実施の形態４およびそれらの変形例で説明した、インセルタイプのタッチ検出機能付き表示装置またはオンセルタイプのタッチ検出機能付き表示装置からなる。
【０３１７】
＜デジタルカメラ＞
図３７は、実施の形態５の電子機器の一例としてのデジタルカメラの外観を表す斜視図である。このデジタルカメラは、例えば、表示部５２２、メニュースイッチ５２３およびシャッターボタン５２４を有している。そして、表示部５２２は、実施の形態１〜実施の形態４およびそれらの変形例で説明した、インセルタイプのタッチ検出機能付き表示装置またはオンセルタイプのタッチ検出機能付き表示装置からなる。
【０３１８】
＜ノート型パーソナルコンピュータ＞
図３８は、実施の形態５の電子機器の一例としてのノート型パーソナルコンピュータの外観を表す斜視図である。このノート型パーソナルコンピュータは、例えば、本体５３１、文字等の入力操作のためのキーボード５３２および画像を表示する表示部５３３を有している。そして、表示部５３３は、実施の形態１〜実施の形態４およびそれらの変形例で説明した、インセルタイプのタッチ検出機能付き表示装置またはオンセルタイプのタッチ検出機能付き表示装置からなる。
【０３１９】
＜ビデオカメラ＞
図３９は、実施の形態５の電子機器の一例としてのビデオカメラの外観を表す斜視図である。このビデオカメラは、例えば、本体部５４１、この本体部５４１の前面に設けられた被写体撮影用のレンズ５４２、撮影時のスタート／ストップスイッチ５４３および表示部５４４を有している。そして、表示部５４４は、実施の形態１〜実施の形態４およびそれらの変形例で説明した、インセルタイプのタッチ検出機能付き表示装置またはオンセルタイプのタッチ検出機能付き表示装置からなる。
【０３２０】
＜携帯電話機＞
図４０および図４１は、実施の形態５の電子機器の一例としての携帯電話機の外観を表す正面図である。図４１は、図４０に示す携帯電話機が折りたたまれた状態を示す。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６およびカメラ５５７を有している。そして、ディスプレイ５５４またはサブディスプレイ５５５は、実施の形態１〜実施の形態４およびそれらの変形例のタッチ検出機能付き表示装置等により構成されている。
【０３２１】
＜スマートフォン＞
図４２は、実施の形態５の電子機器の一例としてのスマートフォンの外観を表す正面図である。このスマートフォンは、例えば、筐体５６１とタッチスクリーン５６２を有している。タッチスクリーン５６２は、例えば入力装置としてのタッチパネルと表示部としての液晶パネルとで構成されており、実施の形態１〜実施の形態４およびそれらの変形例で説明した、インセルタイプのタッチ検出機能付き表示装置またはオンセルタイプのタッチ検出機能付き表示装置からなる。
【０３２２】
タッチスクリーン５６２のタッチパネルは、例えば図６を用いて説明したタッチパネルＴＰ１からなり、例えば図６を用いて説明した表示装置ＬＣＤ１からなる液晶パネルの表面に設けられている。ユーザが指又はタッチペンを用いてタッチパネルにタッチ操作やドラッグ操作などのジェスチャー操作をすると、タッチスクリーン５６２のタッチパネルは、このジェスチャー操作に対応する位置の座標を検出して図示しない制御部に出力する。
【０３２３】
タッチスクリーン５６２の液晶パネルは、前述したように、例えば図６を用いて説明した表示装置ＬＣＤ１からなる。また、表示装置ＬＣＤ１からなるタッチスクリーン５６２の液晶パネルは、図４２では図示を省略するが、例えば図６を用いて説明した駆動回路ＤＲ２からなる駆動部を有する。駆動回路ＤＲ２からなる駆動部は、例えば図６を用いて説明した表示装置ＬＣＤ１においてマトリクス状に配置されている複数の画素の各々に対応して配置された画素電極に、それぞれ一定のタイミングで画像信号としての電圧を印加することで、表示を実行させる。
【０３２４】
＜本実施の形態の主要な特徴と効果＞
本実施の形態５では、上記した各種の電子機器の表示装置に備えられた入力装置において、他の駆動電極の幅と異なる幅を有する駆動電極と検出電極との間の静電容量が、他の駆動電極と検出電極との間の静電容量に近づくように、調整することができる。
【０３２５】
これにより、他の駆動電極の幅と異なる幅を有する駆動電極に駆動電圧を印加したときに検出される検出容量の、ＡＤＣレンジの下限値または上限値に対する裕度が小さくなることを防止し、検出容量のノイズ耐性が低下することを防止または抑制することができる。そのため、実施の形態１〜実施の形態４およびそれらの変形例と同様に、他の駆動電極の幅と異なる幅を有する駆動電極上において、他の駆動電極上に比べ、位置検出精度が低下することを防止または抑制し、位置検出感度が低下することを防止または抑制することができる。したがって、上記した各種の電子機器の性能を向上させることができる。
【０３２６】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【産業上の利用可能性】
【０３２７】
本発明は、入力装置、表示装置および電子機器に適用して有効である。
【符号の説明】
【０３２８】
１１、１２、１２ｃ  基板
１１ａ、１２ａ、１２ｄ  前面
１１ｂ、１２ｂ、１２ｅ  背面
１３  液晶層
１４  共通電極
１５  絶縁膜
１６  画素電極
１７  カラーフィルタ
１８  シール
２１、２１ｃ、２２  配線基板
２１ａ、２１ｂ、２２ａ  配線
５１１  フロントパネル
５１２  フィルターガラス
５１３  映像表示画面部
５２２  表示部
５２３  メニュースイッチ
５２４  シャッターボタン
５３１  本体
５３２  キーボード
５３３  表示部
５４１  本体部
５４２  レンズ
５４３  スタート／ストップスイッチ
５４４  表示部
５５１  上側筐体
５５２  下側筐体
５５３  連結部（ヒンジ部）
５５４  ディスプレイ
５５５  サブディスプレイ
５５６  ピクチャーライト
５５７  カメラ
５６１  筐体
５６２  タッチスクリーン
ＢＤ、ＢＤ１〜ＢＤ３  本体部
Ｃ１  容量素子
ＣＭＤ  入力具
ＣＮ１〜ＣＮ５  繋ぎ部
ＣＲ１〜ＣＲ３  交差部
ＣＳＴ１  一定値
ＤＬ  誘電層
ＤＲ１、ＤＲ２  駆動回路
ＤＳ１、ＤＳ２  間隔
ＤＴ１  検出回路
ＤＷ  駆動波形
ＥＡ１  表示領域
ＥＡ２  検出領域
ＬＣ  液晶
ＬＣＤ１、ＬＣＤ２  表示装置
ＬＬ１  下限値
ＬＮ１〜ＬＮ３  長さ
ＬＳ  光源
ＯＥＡ  領域
ＯＨ１〜ＯＨ５  張出部（拡張部）
ＰＬ１、ＰＬ２  偏光板
Ｒｘ、Ｒｘ１〜Ｒｘ１０  検出電極
ＳＷ、ＳＷ１、ＳＷ２  信号波形
ＴＰ１〜ＴＰ４  タッチパネル（入力装置）
Ｔｘ、Ｔｘ１〜Ｔｘ１０  駆動電極
ＵＬ１  上限値
ＶＷ  観者
ＷＢ、ＷＤ１〜ＷＤ３、ＷＲ１〜ＷＲ３  幅
【図１】
2014153840.tif 000003
【図２】
2014153840.tif 000004
【図３】
2014153840.tif 000005
【図４】
2014153840.tif 000006
【図５】
2014153840.tif 000007
【図６】
2014153840.tif 000008
【図７】
2014153840.tif 000009
【図８】
2014153840.tif 000010
【図９】
2014153840.tif 000011
【図１０】
2014153840.tif 000012
【図１１】
2014153840.tif 000013
【図１２】
2014153840.tif 000014
【図１３】
2014153840.tif 000015
【図１４】
2014153840.tif 000016
【図１５】
2014153840.tif 000017
【図１６】
2014153840.tif 000018
【図１７】
2014153840.tif 000019
【図１８】
2014153840.tif 000020
【図１９】
2014153840.tif 000021
【図２０】
2014153840.tif 000022
【図２１】
2014153840.tif 000023
【図２２】
2014153840.tif 000024
【図２３】
2014153840.tif 000025
【図２４】
2014153840.tif 000026
【図２５】
2014153840.tif 000027
【図２６】
2014153840.tif 000028
【図２７】
2014153840.tif 000029
【図２８】
2014153840.tif 000030
【図２９】
2014153840.tif 000031
【図３０】
2014153840.tif 000032
【図３１】
2014153840.tif 000033
【図３２】
2014153840.tif 000034
【図３３】
2014153840.tif 000035
【図３４】
2014153840.tif 000036
【図３５】
2014153840.tif 000037
【図３６】
2014153840.tif 000038
【図３７】
2014153840.tif 000039
【図３８】
2014153840.tif 000040
【図３９】
2014153840.tif 000041
【図４０】
2014153840.tif 000042
【図４１】
2014153840.tif 000043
【図４２】
2014153840.tif 000044